(57)【要約】      （修正有）【課題】モバイル・デバイス支援された着信アクセス領域選択を使用するフォールバックのための方法を提供する。【解決手段】ネットワーク・エンティティーは、モバイル・デバイスにセッションに招待を転送する。セッションは、メディアのためのパケット交換ベアラを有する。モバイル・デバイスは、招待の拒否及びセッションを保留するためのネットワーク・エンティティーに対するリクエストで応答する。拒否は、回線交換ベアラが利用されるべきとのモバイル・デバイスの判定に基づく。モバイル・デバイスは、回線交換コールを送信し、そして、ネットワーク・エンティティーは、回線交換コールをセッションに関連させる。回線交換領域ベアラ及びインターネット・プロトコル・マルチメディア・サブシステム・ベアラの上で対話がセットアップされる。【選択図】図３
2014132758.tif 000002
【特許請求の範囲】
【請求項１】
通信環境におけるフォールバック手続きのための方法において、
セッションのための招待であって第２のモバイル・デバイスからであり且つメディアのためのパケット交換ベアラを有するものを、第１のモバイル・デバイスへ転送することと、
前記第１のモバイル・デバイスによる前記招待に対する拒否に応じて、前記セッションを保留することと、
前記第１のモバイル・デバイスから回線交換コールを受信することと、
前記回線交換コールを前記セッションに関連付けることと、
回線交換領域ベアラ及びインターネットプロトコルマルチメディアサブシステム（ＩＭＳ）ベアラの上で前記第１のモバイル・デバイスと前記第２のモバイル・デバイスとの間の通信を確立することを含む方法。
【請求項２】
前記関連付けることの前に、前記回線交換コールを、インターネット・プロトコル・マルチメディア・サブシステム・セッションに変換することを更に含む請求項１の方法。
【請求項３】
前記保留することは、前記第１のモバイル・デバイスから、アイドル・モード・シグナリング・リダクションのインジケーションを含むエラー・メッセージを受信することを含む請求項１の方法。
【請求項４】
前記受信することは、前記エラー・メッセージのヘッダ又はボディーにおいて前記アイドル・モード・シグナリング・リダクションのインジケーションを受信することを含む請求項３の方法。
【請求項５】
前記保留することは、特徴タグからアイドル・モード・シグナリング・リダクションのインジケーションを受信することを含む請求項１の方法。
【請求項６】
前記関連付けることは、前記セッションのインターネット・プロトコル・マルチメディア・プライベート識別情報（ＩＭＰＩ）が、前記回線交換コールのＩＭＰＩにマッチングすることを判定することを更に含む請求項１の方法。
【請求項７】
無線通信装置において、
第１のノードへ、第２のノードにより受信されるセッションのための招待を送信することと、
前記第１のノードから、前記セッションの拒否及び前記セッションを保留するためのリクエストを受信することと、
前記第１のノードからの回線交換コールを検出することと、
前記回線交換コールを前記セッションに関連付けることと、
回線交換領域ベアラ及びインターネット・プロトコル・マルチメディア・サブシステム（ＩＭＳ）ベアラの上で前記第１のノードと前記第２のノードとの間の対話をセットアップすることに関係する命令を記憶するメモリと、
前記メモリに接続され、前記メモリに記憶された前記命令を実行するように構成されたプロセッサとを含む無線通信装置。
【請求項８】
前記メモリは、前記関連付けることの前に、前記回線交換コールを、インターネット・プロトコル・マルチメディア・サブシステム・セッションに変換することに関係する更なる命令を記憶する請求項７の無線通信装置。
【請求項９】
前記メモリは、前記第１のモバイル・デバイスから受信されるエラー・メッセージに応じて、前記セッションを保留することに関係する更なる命令を記憶し、該エラー・メッセージは、アイドル・モード・シグナリング・リダクションのインジケーションを含む請求項７の無線通信装置。
【請求項１０】
前記アイドル・モード・シグナリング・リダクションのインジケーションは、前記エラー・メッセージのヘッダ又はボディー中にある請求項９の無線通信装置。
【請求項１１】
前記メモリは、特徴タグにおいて受信されるアイドル・モード・シグナリング・リダクションのインジケーションに基づいて前記セッションを保留することに関係する更なる命令を記憶する請求項７の無線通信装置。
【請求項１２】
前記メモリは、前記セッションのインターネット・プロトコル・マルチメディア・プライベート識別情報と前記回線交換コールとの間にマッチングが存在することを判定することに関係する更なる命令を記憶する請求項７の無線通信装置。
【請求項１３】
フォールバック手続きを実行する無線通信装置において、
セッションのための招待であって第２のモバイル・デバイスからであり且つメディアのためのパケット交換ベアラを有するものを、第１のモバイル・デバイスへ転送するための手段と、
前記第１のモバイル・デバイスによる前記招待に対する拒否に応じて、前記セッションを一時的に保留するための手段と、
前記第１のモバイル・デバイスから回線交換コールを取得するための手段と、
前記回線交換コールを前記セッションにマッピングするための手段と、
前記第１のモバイル・デバイスと前記第２のモバイル・デバイスとの間の通信を確立するための手段とを含む無線通信装置。
【請求項１４】
前記受信するために手段は、そのヘッダ又はボディーにアイドル・モード・シグナリング・リダクションのインジケーションを含むエラー・メッセージを受信するための手段を更に含む請求項１３の無線通信装置。
【請求項１５】
前記受信するために手段は、特徴タグからアイドル・モード・シグナリング・リダクションのインジケーションを受信するための手段を更に含む請求項１３の無線通信装置。
【請求項１６】
前記マッピングするための手段は、前記セッションのインターネット・プロトコル・マルチメディア・プライベート識別情報と前記回線交換コールとの間にマッチングが存在することを判定するための手段を更に含む請求項１３の無線通信装置。
【請求項１７】
コンピュータ・プログラム製品において、
コンピュータに、パケット交換メディアを使用して、Ｇｍ参照点の上で最初の招待を第１のノードに向けて転送させるための第１のコードセットと、
前記コンピュータに、セッション記述プロトコル（ＳＤＰ）ボディーに送信先ネットワークのプロトコル固有識別情報（ＰＳＩ ＤＮ）をもつ第１のセッション開始プロトコル（ＳＩＰ招待）リクエストを作成させるために第２のコードセットと、
前記コンピュータに、前記第１のＳＩＰ招待を前記第１のノードへルーティングさせるための第３のコードセットと、
前記コンピュータに、ネットワークがアイドル・モード・シグナリング・リダクション（ＩＳＲ）に依存することを示すエラーＳＩＰレスポンスを、前記第１のノードから受信させるための第４のコードセットと、
前記コンピュータに、前記最初の招待に関連するセッションを保留させるための第５のコードセットと、
前記コンピュータに、ＳＩＰレスポンスのコンタクト・ヘッダに挿入されるＧＲＵＵに関連するインターネット・プロトコル・マルチメディア・プライベート識別情報（ＩＭＰＩ）をフェッチさせるための第６のコードセットと、
前記コンピュータに、第２のＳＩＰ招待リクエストをＣＳ領域から受信させるための第７のコードセットと、
前記コンピュータに、前記第２のＳＩＰ招待に関連する前記ＩＭＰＩをフェッチさせるための第８のコードセットと、
前記コンピュータに、前記第１のＳＩＰ招待に関連する前記ＩＭＰＩが前記第２のＳＩＰ招待に関連する前記ＩＭＰＩにマッチする場合に、前記セッションを第２のノードへ向けて確立させるための第９のコードセットとを含むコンピュータ読み取り可能な媒体を含むコンピュータ・プログラム製品。
【請求項１８】
前記コンピュータ読み取り可能な媒体は、前記コンピュータに、前記第７のコードセットが前記ＩＭＰＩをフェッチする前に、前記第２のＳＩＰ招待中のリクエスト・ユニバーサル・リソース識別子（ＵＲＩ）が有効なＰＳＩ ＤＮにセットされることを確認させるための第１０のコードセットを更に含む請求項１７のコンピュータ・プログラム製品。
【請求項１９】
前記コンピュータ読み取り可能な媒体は、前記コンピュータに、ＰアサーテッドＩＤの値が前記第１のノードのモバイル加入者統合サービスディジタルネットワーク番号（Ｃ−ＭＳＩＳＤＮ）により生成される場合に、Ｓｈ参照点を介してホーム加入者サーバ（ＨＳＳ）から前記ＳＩＰ招待に関連する前記ＩＭＰＩをフェッチさせるための第１０のコードセットを更に含む請求項１７のコンピュータ・プログラム製品。
【請求項２０】
回線交換領域の上のフォールバックとしてコール着信を実行するように構成される少なくとも一つのプロセッサにおいて、
第１のノードへ、第２のノードにより受信されるセッションのための招待を送信する第１のモジュールと、
前記セッションの拒否及び前記セッションを保留するためのリクエストを受信する第２のモジュールと、
前記第１のノードからの回線交換コールを検出する第３のモジュールと、
前記回線交換コールを前記セッションに関連付ける第４のモジュールと、
回線交換領域ベアラ及びインターネット・プロトコル・マルチメディア・サブシステム（ＩＭＳ）ベアラの上で前記第１のノードと前記第２のノードとの間の対話をセットアップする第５のモジュールとを含む少なくとも一つのプロセッサ。
【請求項２１】
前記第２のモジュールは、エラー・メッセージを含む前記拒否を受信するものであり、該エラー・メッセージは、そのヘッダ又はボディーにアイドル・モード・シグナリング・リダクションのインジケーションを含む請求項２０の少なくとも一つのプロセッサ。
【請求項２２】
モバイル・デバイス支援された着信アクセス領域選択を使用するフォールバックのための方法において、
メディアのためのパケット交換ベアラをもつセッションのための招待を受信することと、
前記招待を拒否することと、
回線交換コールをネットワーク・エンティティーへ向けて確立することと、
前記セッションと前記回線交換コールとの関連付けである着信する通信（incoming communication）を着信することを含む方法。
【請求項２３】
前記拒否することは、エラー・メッセージを送信することと、前記セッションが前記ネットワーク・エンティティーにより保留されることを要求することを含む請求項２２の方法。
【請求項２４】
前記拒否することは、アイドル・モード・シグナリング・リダクションのインジケーションを含むエラー・メッセージを送信することを含む請求項２２の方法。
【請求項２５】
前記送信することは、前記エラー・メッセージのボディー又はヘッダにおいてアイドル・モード・シグナリング・リダクションのインジケーションを送信することを含む請求項２４の方法。
【請求項２６】
前記拒否することは、特徴タグにおいてアイドル・モード・シグナリング・リダクションのインジケーションを送信することを含む請求項２２の方法。
【請求項２７】
前記受信することは、セッション開始プロトコルＩＮＶＩＴＥリクエストを受信することを含む請求項２２の方法。
【請求項２８】
無線通信装置において、
セッション開始プロトコル（ＳＩＰ）招待リクエストを受信することと、
回線交換発信を使用することに決定することと、
インターネット・プロトコル・ベアラを使用してコールを着信することと、
ＳＩＰ招待に対するエラーＳＩＰレスポンスを送信することと、
回線交換コール・セットアップ・メッセージを送信することに関係する命令を記憶するメモリと、
前記メモリに接続され、前記メモリに記憶された前記命令を実行するように構成されたプロセッサとを含む無線通信装置。
【請求項２９】
前記メモリは、前記ＳＩＰ招待リクエストのセッション記述プロトコル（ＳＤＰ）ボディーにおいて受信される送信先ネットワークのプロトコル固有識別情報（ＰＳＩ ＤＮ）にセットされた被呼者の２進化１０進数（ＢＣＤ）番号要素をもつＣＣ ＳＥＴＵＰメッセージをポピュレートすることに関係する更なる命令を記憶する請求項２８の無線通信装置。
【請求項３０】
前記メモリは、前記エラーＳＩＰレスポンスのボディー又はヘッダにアイドル・モード・シグナリング・リダクションのインジケーションを含ませることに関係する更なる命令を記憶する請求項２８の無線通信装置。
【請求項３１】
前記メモリは、特徴タグにおいてアイドル・モード・シグナリング・リダクションのインジケーションを送信することに関係する更なる命令を記憶する請求項２８の無線通信装置。
【請求項３２】
フォールバック手続きを利用する無線通信装置において、
セッションへの招待であってモバイル・デバイスにより送信され且つメディアのためのパケット交換ベアラを有するものを受信するための手段と、
前記招待を拒否するための手段と、
前記セッションを保留するようにネットワーク・エンティティーに要求するための手段と、
前記ネットワーク・エンティティーへの回線交換コールを確立するための手段と、
前記セッション及び前記回線交換コールの上で前記モバイル・デバイスと通信するための手段とを含む無線通信装置。
【請求項３３】
前記拒否するための手段は、エラー・メッセージを前記ネットワーク・エンティティーへ送信するための手段を更に含む請求項３２の無線通信装置。
【請求項３４】
前記拒否するための手段は、そのヘッダ又はボディーにアイドル・モード・シグナリング・リダクション・インジケータを含むエラー・メッセージを送信するための手段を更に含む請求項３２の無線通信装置。
【請求項３５】
前記拒否するための手段は、現在のネットワークがアイドル・モード・シグナリング・リダクション（ＩＳＲ）に依存することを判定するための手段を更に含む請求項３２の無線通信装置。
【請求項３６】
コンピュータ・プログラム製品において、
コンピュータに、メディアのためのパケット交換ベアラをもつセッションのための招待を受信させるための第１のコードセットと、
前記コンピュータに、前記招待を拒否させるための第２のコードセットと、
前記コンピュータに、回線交換コールをネットワーク・エンティティーへ向けて確立させるための第３のコードセットと、
前記コンピュータに、前記セッションと前記回線交換コールとの関連付けである通信を処理させるための第４のコードセットとを含むコンピュータ読み取り可能な媒体を含むコンピュータ・プログラム製品。
【請求項３７】
前記コンピュータ読み取り可能な媒体は、前記コンピュータに、前記第３のコードセットが前記回線交換コールを確立する前に、前記セッションを保留するように前記ネットワーク・エンティティーにリクエストさせるための第５のコードセットを更に含む請求項３６のコンピュータ・プログラム製品。
【請求項３８】
フォールバック手続きを容易にするように構成される少なくとも一つのプロセッサにおいて、
セッションへの招待であってモバイル・デバイスにより送信され且つメディアのためのパケット交換ベアラを有するものを受信する第１のモジュールと、
前記招待を拒否する第２のモジュールと、
前記セッションを保留するようにネットワーク・エンティティーに要求する第３のモジュールと、
前記ネットワーク・エンティティーへの回線交換コールを確立する第４のモジュールと、
前記セッション及び前記回線交換コールの上で前記モバイル・デバイスと通信する第５のモジュールとを含む少なくとも一つのプロセッサ。
【請求項３９】
前記第２のモジュールは、更に、そのヘッダ又はボディーにアイドル・モード・シグナリング・リダクションのインジケーションを含むエラー・メッセージを送信する請求項３８の少なくとも一つのプロセッサ。
【請求項４０】
前記第２のモジュールは、更に、特徴タグにおいてアイドル・モード・シグナリング・リダクションのインジケーションを送信する請求項３８の少なくとも一つのプロセッサ。
【発明の詳細な説明】
【技術分野】
【０００１】
（相互参照）
これは、２００９年４月１日付け提出され、本願の譲受人に譲渡され、参照によって本明細書に明確に組み込まれる「FALLBACK USING UE ASSISTED T-ADS」と題された米国仮出願第６１／１６５，７１７号の優先権を主張する出願である。
【０００２】
（技術分野）
以下の説明は、一般に通信に関し、より詳しくは無線通信環境におけるフォールバック手続きに関する。
【背景技術】
【０００３】
ユーザがどこに位置するか（例えば、建造物の内部又は外部）及びユーザが静止しているか又は動いているか（例えば、車両又は徒歩で）に関係なく、様々なタイプの通信コンテンツ（例えば、ボイス、データ、ビデオ、その他）を提供するために及び情報を伝えるために、無線通信システムが広く配備される。これらのシステムは、利用できるシステム資源（例えば、バンド幅及び送信電力）を共有することによって、複数のユーザとの通信をサポートすることができる多元接続システムであっても良い。多元接続システムは、周波数分割多元接続（ＦＤＭＡ）システム、時分割多元接続（ＴＤＭＡ）システム、符号分割多元接続（ＣＤＭＡ）システム、直交周波数分割多元接続（ＯＦＤＭＡ）システム、第三世代パートナーシッププロジェクト（３ＧＰＰ）ロングタームエボリューション（ＬＴＥ）システム、その他を含む。
【０００４】
通常、無線多元接続通信システムは、複数のモバイル・デバイスのための通信を同時にサポートすることができる。各々のモバイル・デバイスは、順方向及び逆方向リンク上の伝送を通して１又は複数の基地局と通信することができる。順方向リンク（または、ダウンリンク）は、基地局からモバイル・デバイスへの通信リンクを指し示す。逆方向リンク（または、アップリンク）は、モバイル・デバイスから基地局への通信リンクを指し示す。これらの通信リンクは、単一入力単一出力（ＳＩＳＯ）システム、多重入力単一出力（ＭＩＳＯ）システム、多重入力多重出力（ＭＩＭＯ）システム、その他を通して確立されることができる。さらに、モバイル・デバイスは、ピアツーピア無線ネットワーク構成において、他のモバイル・デバイスと（及び／又は他の基地局をともなう基地局と）通信することができる。
【０００５】
通信システム（例えば、回線交換システム（circuit switched）（ＣＳ）及びパケット交換システム（packet switched）（ＰＳ））が開発された。ＣＳシステムは、グローバル移動体通信システム（Global System of Mobile Communication）（ＧＳＭ（登録商標））の一部として開発された。ＰＳシステムは、例えばユニバーサル・モバイル・テレコミュニケーション・スタンダード（ＵＭＴＳ）またはインターネット・プロトコル・マルチメディア・サブシステム（ＩＭＳ）のようなインターネット・プロトコル（ＩＰ）に基づいて動作することができる。異なるタイプのペイロード・データまたはメディア（例えば、ボイス、オーディオ、イメージ、実行可能なプログラム・コード、テキストデータ、及び、他の形のペイロード・データ）を伝達する必要性のために、ＣＳシステムからＰＳシステム及び他のシステムへの変更（change）があった。
【０００６】
いくつかの地理的エリアにおいて、ＣＳシステムとＰＳシステムとが並行して存在することができ、また、その地理的エリア内のモバイル・デバイス・ユーザは、そのユーザのモバイル・デバイスによりサポートされるシステムに関係なく、十分な（adequate）カバレージを要求する。しかし、ＩＭＳシステムは、着信ＣＳネットワーク（terminating CS network）が利用可能かどうか、シングル無線ボイスコール継続性（Single Radio Voice Call Continuity）（ＳＲＶＣＣ）ネットワークがアイドル・モード・シグナリング・リダクション（Idle mode Signaling Reduction）（ＩＳＲ）をサポートするかどうか、判定することができない。したがって、着信コール（terminating calls）は、たとえ該着信コールがＣＳ領域に送信されなければならないとしても、ＰＳ領域に送信される可能性がある。そして、それは、ドロップ・コール（dropped calls）及び否定的なユーザ・エクスペリエンス（negative user experiences）をもたらす可能性のある他の問題を引き起こす可能性がある。
【発明の概要】
【０００７】
以下は、そのような態様の基本的な理解を提供するために、１又は複数の態様の簡略化された概要を示す。この概要は、すべての予期される態様の外延的な概要ではなく、また、すべての態様の鍵となる又は重要な要素を特定することも、一部又は全部の態様の範囲を線引きすることも意図されていない。その唯一の目的は、後で示されるより詳しい説明に対する前置きとして、１又は複数の態様の幾つかの概念を簡略化された形で示すことである。
【０００８】
１又は複数の態様およびそれらの対応する開示に従って、モバイル・デバイス支援された着信アクセス領域選択（mobile device assisted terminating access domain selection）を指標するフォールバックに関連して、様々な態様が説明される。一つの態様によれば、通信環境におけるフォールバック手続きのための方法である。方法は、セッションのための招待（invitation）を第１のモバイル・デバイスへ転送することを含む。招待は、第２のモバイル・デバイスからであり、メディアのためのパケット交換ベアラ（packet switched bearers for media）を有する。方法はまた、第１のモバイル・デバイスによる招待に対する拒否（rejection to invitation）に応じて、セッションを保留（holding）することと、第１のモバイル・デバイスから回線交換コール（circuit switched call）を受信することと、回線交換コールをセッションに関連付けることを含む。方法は、回線交換領域ベアラ（circuit switched domain bearers）及びインターネットプロトコルマルチメディアサブシステム（ＩＭＳ）ベアラ（Internet Protocol Multimedia Subsystem (IMS) bearers）の上で第１のモバイル・デバイスと第２のモバイル・デバイスとの間の通信を確立することを更に含む。
【０００９】
他の態様は、メモリとプロセッサを含む無線通信装置に関係する。メモリは、第１のノードへ、第２のノードにより受信されるセッションのための招待を送信することと、第１のノードから、セッションの拒否及びセッションを保留するためのリクエストを受信することに関係する命令を記憶する。メモリは、第１のノードからの回線交換コールを検出することと、回線交換コールをセッションに関連付けることと、回線交換領域ベアラ及びインターネット・プロトコル・マルチメディア・サブシステム（ＩＭＳ）ベアラの上で第１のノードと第２のノードとの間の対話（dialog）をセットアップすることに関係する命令を更に記憶する。プロセッサは、メモリに接続され、メモリに記憶された命令を実行するように構成される。
【００１０】
一つの態様は、フォールバック手続きを実行する無線通信装置に関係する。無線通信装置は、セッションのための招待を第１のモバイル・デバイスへ転送するための手段と、第１のモバイル・デバイスによる招待に対する拒否に応じて、セッションを一時的に保留するための手段とを含む。招待は、第２のモバイル・デバイスからであり、メディアのためのパケット交換ベアラを有する。無線通信装置はまた、第１のモバイル・デバイスによる招待に対する拒否に応じて、セッションを一時的に保留するための手段と、第１のモバイル・デバイスから回線交換コールを取得するための手段とを含む。また、回線交換コールをセッションにマッピングするための手段と、第１のモバイル・デバイスと第２のモバイル・デバイスとの間の通信を確立するための手段とが含まれる。
【００１１】
いくつかの態様に従って、受信するために手段は、そのヘッダ又はボディーにアイドル・モード・シグナリング・リダクションのインジケーションを含むエラー・メッセージを受信するための手段を更に含む。いくつかの態様によると、受信するために手段は、特徴タグからアイドル・モード・シグナリング・リダクションのインジケーションを受信するための手段を更に含む。いくつかの態様に従って、マッピングするための手段は、セッションのインターネット・プロトコル・マルチメディア・プライベート識別情報と回線交換コールとの間にマッチングが存在することを判定するための手段を更に含む。
【００１２】
他の態様は、コンピュータ読み取り可能な媒体を含むコンピュータ・プログラム製品に関係する。コンピュータに、パケット交換メディア（packet switched media）を使用して、Ｇｍ参照点（Gm reference）の上で最初の招待（initial INVITE）を第１のノードに向けて転送させるための第１のコードセットが、コンピュータ読み取り可能な媒体に含まれる。また、コンピュータに、セッション記述プロトコル（ＳＤＰ）ボディー（Session Description Protocol (SDP) body）において送信先ネットワークのプロトコル固有識別情報（Protocol Specific Identification of Destination Network）（ＰＳＩ ＤＮ）をもつ第１のセッション開始プロトコル（ＳＩＰ招待）リクエスト（first Session Initiation Protocol (SIP INVITE) request）を作成させるために第２のコードセットが含まれる。コンピュータ読み取り可能な媒体はまた、コンピュータに、第１のＳＩＰ招待を第１のノードへルーティングさせるための第３のコードセットと、コンピュータに、ネットワークがアイドル・モード・シグナリング・リダクション（ＩＳＲ）に依存することを示すエラーＳＩＰレスポンスを、第１のノードから受信させるための第４のコードセットとを含む。また、コンピュータに、最初の招待（initial INVITE）に関連するセッションを保留させるための第５のコードセットが含まれる。コンピュータ読み取り可能な媒体はまた、コンピュータに、ＳＩＰレスポンスのコンタクト・ヘッダに挿入されるＧＲＵＵ（グローバリー・ルータブル・ユーザ・エージェントＵＲＩ（Globally Routable User Agent URIs））に関連するインターネット・プロトコル・マルチメディア・プライベート識別情報（ＩＭＰＩ）をフェッチさせるための第６のコードセットと、コンピュータに、第２のＳＩＰ招待（second SIP INVITE request）をＣＳ領域から受信させるための第７のコードセットとを含む。さらに、コンピュータ読み取り可能な媒体は、コンピュータに、第２のＳＩＰ招待に関連するＩＭＰＩをフェッチさせるための第８のコードセットと、コンピュータに、第１のＳＩＰ招待に関連するＩＭＰＩが第２のＳＩＰ招待に関連するＩＭＰＩにマッチする場合に、セッションを第２のノードへ向けて確立させるための第９のコードセットとを含む。
【００１３】
一つの態様は、回線交換領域の上のフォールバックとしてコール着信（call termination）を実行するように構成される少なくとも一つのプロセッサに関係する。プロセッサは、第１のノードへ、第２のノードにより受信されるセッションのための招待を送信する第１のモジュールと、セッションの拒否及びセッションを保留するためのリクエストを受信する第２のモジュールとを含む。また、第１のノードからの回線交換コールを検出する第３のモジュールと、回線交換コールをセッションに関連付ける第４のモジュールと、回線交換領域ベアラ及びインターネット・プロトコル・マルチメディア・サブシステム（ＩＭＳ）ベアラの上で第１のノードと第２のノードとの間の対話をセットアップする第５のモジュールとが、プロセッサに含まれる。
【００１４】
一つの態様は、モバイル・デバイス支援された着信アクセス領域選択を使用するフォールバックのための方法に関係する。方法は、メディアのためのパケット交換ベアラをもつセッションのための招待を受信することと、招待を拒否することと、回線交換コールをネットワーク・エンティティーへ向けて確立することを含む。方法はまた、セッションと回線交換コールとの関連付けである着信する通信（incoming communication）を着信することを含む。
【００１５】
他の態様は、メモリとプロセッサを含む無線通信装置に関係する。メモリは、セッション開始プロトコル（ＳＩＰ）招待リクエスト（Session Initiation Protocol (SIP) INVITE request）を受信することと、回線交換発信（ircuit switched origination）を使用することに決定することと、インターネット・プロトコル・ベアラを使用してコールを着信（terminating）することと、ＳＩＰ招待（SIP INVITE）に対するエラーＳＩＰレスポンス（error SIP response）を送信することと、回線交換コール・セットアップ・メッセージ（circuit switched call SETUP message）を送信することに関係する命令を記憶する。プロセッサは、メモリに接続され、メモリに記憶される命令を実行するように構成される。
【００１６】
一つの態様は、フォールバック手続きを利用する無線通信装置に関係する。無線通信装置は、セッションへの招待を受信するための手段と、招待を拒否するための手段と、セッションを保留するようにネットワーク・エンティティーに要求するための手段とを含む。招待は、モバイル・デバイスにより送信され、メディアのためのパケット交換ベアラを有する。無線通信装置はまた、ネットワーク・エンティティーへの回線交換コールを確立するための手段と、セッション及び回線交換コールの上でモバイル・デバイスと通信するための手段とを含む。
【００１７】
いくつかの態様に従って、拒否するための手段は、エラー・メッセージをネットワーク・エンティティーへ送信するための手段を更に含む。いくつかの態様によれば、拒否するための手段は、そのヘッダ又はボディーにアイドル・モード・シグナリング・リダクション・インジケータを含むエラー・メッセージを送信するための手段を更に含む。一つの態様によると、拒否するための手段は、現在のネットワークがアイドル・モード・シグナリング・リダクション（ＩＳＲ）に依存することを判定するための手段を更に含む。
【００１８】
他の態様は、コンピュータ読み取り可能な媒体を含むコンピュータ・プログラム製品に関係する。コンピュータに、メディアのためのパケット交換ベアラをもつセッションのための招待を受信させるための第１のコードセットと、コンピュータに、招待を拒否させるための第２のコードセットとが、コンピュータ読み取り可能な媒体に含まれる。コンピュータ読み取り可能な媒体はまた、コンピュータに、回線交換コールをネットワーク・エンティティーへ向けて確立させるための第３のコードセットと、コンピュータに、セッションと回線交換コールとの関連付けである通信を処理させるための第４のコードセットとを含む。
【００１９】
一つの態様は、フォールバック手続きを容易にするように構成される少なくとも一つのプロセッサに関係する。プロセッサは、セッションへの招待を受信する第１のモジュールと、招待を拒否する第２のモジュールと、セッションを保留するようにネットワーク・エンティティーに要求する第３のモジュールとを含む。招待は、モバイル・デバイスにより送信され、メディアのためのパケット交換ベアラを有する。プロセッサはまた、ネットワーク・エンティティーへの回線交換コールを確立する第４のモジュールと、セッション及び回線交換コールの上でモバイル・デバイスと通信する第５のモジュールとを含む。
【００２０】
前述の目的及び関係する目的の達成のために、１又は複数の態様は、以下に十分に説明され、特に特許請求の範囲において指摘された特徴を包含する。以下の説明及び添付された図面は、１又は複数の態様の幾つかの説明的な特徴を説明する。これらの特徴は、しかし、様々な態様の原理が使用されることのできる様々な方法のうちのほんの数例を示す。図面とともに考慮されるとき、他の利点及び新しい特徴は、以下の詳細な説明から明らかになるであろう。また、開示された態様は、すべてのそのような態様及びそれらの均等物を含むことが意図される。
【図面の簡単な説明】
【００２１】
【図１】図１は、一つの態様に従った、モバイル・デバイス支援された着信アクセス領域選択（mobile device assisted terminating access domain selection）を使用するフォールバックのために構成されたシステムを示す。
【図２】図２は、一つの態様に従った、モバイル・デバイス支援された着信アクセス領域選択を使用するフォールバックのためのコールフローを示す。
【図３】図３は、一つの態様に従った、モバイル・デバイス支援された着信アクセス領域選択を使用するフォールバックのためのコールフローを示す。
【図４】図４は、一つの態様に従った、呼制御（call control）及び回線交換領域へのフォールバックのための方法を示す。
【図５】図５は、一つの態様に従った、ＣＳ上のフォールバックとしてのコール着信（call termination）のための方法を示す。
【図６】図６は、上記開示された１又は複数の態様に従った、モバイル・デバイス支援された着信アクセス領域選択を使用するフォールバックを容易にするシステムを示す。
【図７】図７は、本明細書で示される様々な態様に従った、通信環境におけるフォールバック手続きを容易にするシステムの説明図である。
【図８】図８は、一態様に従った、フォールバックのためのモバイル・デバイス支援された着信アクセス領域選択を利用する例であるシステムを示す。
【図９】図９は、一態様に従った、モバイル・デバイス支援された着信アクセス領域選択に基づく通信環境におけるフォールバック手続きを容易にする例であるシステムを示す。
【図１０】図１０は、１又は複数の態様に従った、多元接続無線通信システムを示す。
【図１１】図１１は、一態様に従った、例である無線通信システムを示す。
【詳細な説明】
【００２２】
これから図面を参照しながら様々な態様が説明される。以下の説明では、説明の目的のために、１又は複数の態様の深い理解を提供するために、多数の特定の細部が説明される。しかし、そのような（１又は複数の）態様が、これらの特定の細部なしで実施され得ることは、明らかであろう。他のインスタンスにおいて、これら態様の説明を容易にするために、良く知られた構造及びデバイスが、ブロック図の形で示される。
【００２３】
図１を参照して、一つの態様に従って、モバイル・デバイス支援された着信アクセス領域選択（mobile device assisted terminating access domain selection）を使用するフォールバックのために構成されたシステム１００が説明される。システム１００は、他の無線通信装置及び／又はネットワーク・エンティティーと通信するように構成される無線通信装置１０２を含む。説明の目的で、無線通信装置１０２は、発信側デバイス（originating device）１０４（それは無線通信装置またはモバイル・デバイスであることができる）、及び、サービス集中化及び継続性アプリケーション・サーバ（Service Centralization and Continuity Application Server）（ＳＣＣ ＡＳ １０６）と通信するように示されている。
【００２４】
無線通信装置１０２は、インターネット・プロトコル・マルチメディア・サブシステム（ＩＭＳ １０８）及び回線交換（ＣＳ １１０）の両方をサポートするように構成されることができる。たとえば、通信のシグナリング部分は、ＩＭＳ １０８で処理されることができ、通信のメディア部分は、ＣＳ １１０で処理されることができる。ネットワーク（例えば、ＳＣＣ ＡＳ １０６）は、無線通信装置１０２にシグナリングをルーティングする方法、または、これが着信する通信（incoming communication）であることを無線通信装置１０２に指示する方法を知らない状況が起こる可能性がある。開示された態様は、通信をルーティングする方法を理解していないネットワークの状況を克服することができる。
【００２５】
ＳＣＣ ＡＳ １０６（それは無線通信装置１０２にサービスしている）は、（受信機コンポーネント１１２において）発信側デバイス１０４から招待（ＩＮＶＩＴＥ）１１４を受信する。招待１１４は、無線通信装置１０２に向けられた通信である。招待１１４は、セッション開始プロトコル（ＳＩＰ）ＩＮＶＩＴＥ（Session Initiation Protocol (SIP) INVITE）であることができる。ＳＣＣ ＡＳ １０６（送信コンポーネント１１６）は、無線通信装置１０２に向けて招待１１４を転送する。送信コンポーネント１１６は、メディアのためのパケット交換（ＰＳ）ベアラ（Packet Switched (PS) bearers for the media）を利用して、招待１１４を転送することができる（ＳＣＣ ＡＳ １０６は、ＣＳ領域が利用されるべきかを判定することができないので）。いくつかの態様に従って、招待１１４を転送するために、メッセージ・コンポーネント１１８は、セッション記述プロトコル（ＳＤＰ）ボディー（Session Description Protocol (SDP) body）においてＳＣＣ ＡＳの送信先ネットワークのプロトコル固有識別情報（Protocol Specific Identification of Destination Network）（ＰＳＩ ＤＮ）をもつＳＩＰ招待リクエスト（SIP INVITE request）を作成し、そして、該作成されたＳＩＰ招待（SIP INVITE）１２０を、無線通信装置１０２（例えば、着信側デバイス（terminating device））に向けてルーティングする。
【００２６】
ＳＩＰ招待１２０を（受信機モジュール１２２において）受信するのと実質的に同じ時刻において、領域モジュール（domain module）１２４は、ＩＭＳ １０８を使用すべきか又はＣＳ １１０を使用すべきかの判定を行う。たとえば、該判定は、アイドル・モード・シグナリング・リダクション（ＩＳＲ）がアクティブかどうか、及び／又は、様々なシングル無線ボイスコール継続性（ＳＲＶＣＣ）手続きが使用されるかどうかに基づいて、行われることができる。領域モジュール１２４による判定が、ＣＳ １１０の発信（origination）が使用されるべきことであるならば、エラー・モジュール１２６は、エラー・メッセージ１２８を構成（configures）して、ＳＣＣ ＡＳ １０６に送信する。いくつかの態様に従って、エラー・メッセージは、現在のネットワークがＩＳＲに依存することを示すＳＤＰアンサー又はＳＩＰヘッダを含む。エラー・メッセージ１２８はまた、ＳＣＣＡＳ １０６に対する、招待（ＩＮＶＩＴＥ）１１４に関連するセッションを保留（hold）するインジケーションを含むことができる（以前はセルがドロップされたであろう）。エラー・メッセージ１２８が（受信機コンポーネント１１２において）受信された後、キュー・コンポーネント１３０は、少なくとも一時的に、招待（ＩＮＶＩＴＥ）１１４に関連するセッションを保留する。
【００２７】
開始コンポーネント（initiation component）１３２は、ＳＩＰ招待（ＳＩＰ ＩＮＶＩＴＥ）１２０に応答して、回線交換コール（circuit switched call）（ＣＳコール１３４）を開始（initiate）するように構成される。ＣＳコール１３４は、被呼者（called party）の２進化１０進数（ＢＣＤ）番号情報要素（Binary Coded Decimal (BCD) number information element）を含むことができる。ＣＳコール１３４を確立するために、無線通信装置１０２は、ＳＣＣ ＡＳ １０６から、発信側デバイス１０４のＢＣＤ番号（または他の番号）を得ることができ、そして、ＣＳコール１３４にＢＣＤ番号を含ませることができる。
【００２８】
ＳＣＣ ＡＳ １０６に到着すると（while reaching）、ＣＳコール１３４は、ＩＭＳセッションに変換（translated）される。マッピング・コンポーネント１３６は、ＣＳコールを、元の招待（original INVITE）１１４（または保留されたセッション）に関連付けるように構成される。いくつかの態様によると、マッピング・コンポーネント１３６は、招待１１４及びＣＳコール１３４における各識別子に基づいて、着信する通信（incoming communication）（招待１１４）が向けられたノード及びＣＳコール１３４を確立したノードが同一のノード（例えば、無線通信装置１０２）であることを確認する。いくつかの態様に従って、上記関連付けを実行するために、マッピング・コンポーネント１３６は、エラー・メッセージ１２８に挿入されるグローバリー・ルータブル・ユーザ・エージェントＵＲＩ（Globally Routable User Agent URIs）（ＧＲＵＵ）に関連するＩＭＰＩ（インターネット・プロトコル・マルチメディア・プライベート識別番号（Internet Protocol Multimedia Private Identity））を得る。マッピング・コンポーネント１３６はまた、登録された特徴タグ（feature tags）からＩＳＲ情報を得ても良い。ＣＳコール１３４が最初の招待（initial INVITE）１１４に首尾良くマッピングされるならば、無線通信装置１０２と発信側デバイス１０４との間の対話（dialog）が確立される。
【００２９】
メモリ１３８は、ＳＣＣ ＡＳ １０６に有効に（operatively）接続することができる。メモリ１３８は、ＳＣＣ ＡＳ １０６の外部に存在することも、内部に存在することもできる。メモリ１３８は、第１のノードへ、第２のノードにより受信されるセッションのための招待（invitation）を送信することと、第１のノードから、セッションの拒否（rejection）及びセッションを保留するためのリクエストを受信することに関係する命令を記憶することができる。メモリ１３８はまた、第１のノードからの回線交換コールを検出することと、回線交換コールをセッションにマッピングすることと、回線交換領域ベアラ及びインターネット・プロトコル・マルチメディア・サブシステム（ＩＭＳ）ベアラの上で第１のノードと第２のノードとの間の対話をセットアップすることに関係する命令を記憶することができる。
【００３０】
いくつかの態様に従って、メモリ１３８は、上記関連付けることの前に、回線交換コールをインターネット・プロトコル・マルチメディア・サブシステム・セッションに変換することに関係する更なる命令を記憶する。いくつかの態様によると、メモリ１３８は、第１のノードから受信されるエラー・メッセージに応じて、セッションを保留することに関係する更なる命令を記憶する。エラー・メッセージは、アイドル・モード・シグナリング・リダクションのインジケーションを含む。アイドル・モード・シグナリング・リダクションのインジケーションは、エラー・メッセージのボディーまたはヘッダに含まれることができる。
【００３１】
いくつかの態様によると、メモリ１３８は、特徴タグにおいて受信されるアイドル・モード・シグナリング・リダクションのインジケーションに基づいて、セッションを保留することに関係する更なる命令を記憶する。他の態様によると、メモリ１３８は、セッションのインターネット・プロトコル・マルチメディア・プライベート識別情報と回線交換コールとの間にマッチングが存在することを判定することに関係する更なる命令を記憶する。
【００３２】
少なくとも一つのプロセッサ１４０は、通信ネットワークにおけるフォールバック手続きに関係する情報の解析を容易にするために、ＳＣＣ ＡＳ １０６（及び／又はメモリ１３８）に有効に接続されることができる。いくつかの態様に従って、プロセッサ１４０は、回線交換領域の上のフォールバックとしてコール着信を実行するように構成される。プロセッサ１４０は、第１のノードへ、第２のノードにより受信される招待を送信する第１のモジュールと、セッションの拒否及びセッションを保留するためのリクエストを受信する第２のモジュールとを含むことができる。プロセッサ１４０はまた、第１のノードからの回線交換コールを検出する第３のモジュールと、回線交換コールをセッションにマッピングする第４のモジュールとを含む。プロセッサ１４０にはまた、回線交換領域ベアラ及びインターネット・プロトコル・マルチメディア・サブシステム（ＩＭＳ）ベアラの上で第１のノードと第２のノードとの間の対話をセットアップする第５のモジュールが含まれる。いくつかの態様に従って、第２のモジュールは、エラー・メッセージを含む拒否を受信する（該エラー・メッセージは、そのヘッダまたはボディーにアイドル・モード・シグナリング・リダクションのインジケーションを含む）。
【００３３】
以下では、いくつかの態様に従って、ＣＳ上のフォールバックとしてのコール着信のためのＳＣＣ ＡＳ動作を説明する。着信側ＩＣＳモバイル・デバイス（例えば、無線通信装置１０２）にサービスしているＳＣＣ ＡＳ（例えば、ＳＣＣ ＡＳ １０６）は、ＰＳメディアのみを使用して、Ｇｍ参照点（Gm reference point）の上で、着信側モバイル・デバイスに向けて、開始する招待（initiating INVITE）（例えば、招待（ＩＮＶＩＴＥ）１１４）を転送する（なぜならば、ＳＣＣ ＡＳは、（例えば、（ＴＳ ２４．３０１の通りに（as per））ＩＳＲがアクティブである場合に、および、（ＴＳ ２３．２１６の通りに）ＳＲＶＣＣ手続きが使用される場合に）ＣＳ領域が使用されるべきことを正確には判定できないので）。ＳＣＣ ＡＳは、バック・ツー・バック・ユーザ・エージェント（Back-To-Back User Agent）（Ｂ２ＢＵＡ）として動作しなければならず、該ＳＣＣ ＡＳは、３ＧＰＰ ＴＳ ２４．２２９ ［１１］に従って、ＳＤＰボディーにおいてＳＣＣＡＳ ＰＳＩ ＤＮをもつＳＩＰ招待リクエスト（SIP INVITE request）を作成し、そして、着信側モバイル・デバイスに向けて、該作成されたＳＩＰ招待リクエスト（例えば、ＳＩＰ招待（ＳＩＰ ＩＮＶＩＴＥ）１２０）をルーティングしなければならない。
【００３４】
現在のネットワークがＩＳＲに依存することを示すＳＤＰアンサー又はＳＩＰヘッダを含む、ＳＩＰ招待リクエスト（SIP INVITE request）に対するエラーＳＩＰレスポンス（error SIP response）（例えば、エラー・メッセージ１２８）を受信すると、該ＳＣＣＡＳは、最初のＳＩＰ招待（initial SIP INVITE）に関連するセッションを（例えば、キュー・コンポーネント１３０に）保留しなければならない。ＳＣＣ ＡＳ（例えば、マッピング・コンポーネント１３６）は、ＳＩＰレスポンスのコンタクト・ヘッダに挿入されるＧＲＵＵに関連するＩＭＰＩをフェッチしなければならない。ＳＣＣ ＡＳはまた、モバイル・デバイスにより登録された特徴タグからＩＳＲ情報を得ても良い。
【００３５】
ＳＣＣ ＡＳがＣＳ領域からＳＩＰ招待リクエスト（例えば、ＣＳコール１３４）を受信する場合、該ＳＣＣ ＡＳは、リクエストＵＲＩ（ユニバーサル・リソース識別子（Universal Resource Identifier））が有効なＳＣＣ ＡＳ ＰＳＩ ＤＮにセットされていることを確認しなければならない。ＰアサーテッドＩＤ（P-Asserted-ID）の値がモバイル・デバイスＣ−ＭＳＩＳＤＮにより生成されるならば、ＳＣＣ ＡＳは、Ｓｈ参照点（Sh reference point）を介して、ホーム加入者サーバ（Home Subscriber Server）（ＨＳＳ）から、関連するＩＭＰＩをフェッチしなければならない。ＳＣＣ ＡＳが同一のＩＭＰＩに関連付けられたＳＩＰセッションを保留するならば、その保留されたセッションを、発信側モバイル・デバイスに向けて確立することによって、続行（proceed）しなければならない。
【００３６】
引き続き図１を参照して、メモリ１４２は、無線通信装置１０２（の内部又は外部）に有効に接続されることができる。メモリ１４２は、セッション開始プロトコル（ＳＩＰ）招待リクエスト（Session Initiation Protocol (SIP) INVITE request）を受信することと、回線交換発信（circuit switched origination）を使用することに決定することに関係する命令を記憶することができる。メモリ１４２は、インターネット・プロトコル・ベアラを使用してコールを着信することと、ＳＩＰ招待に対するエラーＳＩＰレスポンスを送信することと、回線交換コール・セットアップ・メッセージ（circuit call SETUP message）を送信することに関係する更なる命令を記憶する。
【００３７】
いくつかの態様に従って、メモリ１４２は、ＳＩＰ招待リクエストのセッション記述プロトコル（ＳＤＰ）ボディーにおいて受信される送信先ネットワークのプロトコル固有識別情報（ＰＳＩ ＤＮ）に設定された、被呼者（called party）の２進化１０進数（ＢＣＤ）番号要素をもつＣＣセットアップ・メッセージ（CC SETUP message）をポピュレート（populating）することに関係する更なる命令を記憶する。
【００３８】
いくつかの態様によると、メモリ１４２は、エラーＳＩＰレスポンスのボディーまたはヘッダにアイドル・モード・シグナリング・リダクションのインジケーションを含ませることに関係する更なる命令を記憶する。他の態様において、メモリ１４２は、特徴タグにおいてアイドル・モード・シグナリング・リダクションのインジケーションを送信することに関係する更なる命令を記憶する。
【００３９】
少なくとも一つのプロセッサ１４４は、通信ネットワークにおけるフォールバック手続きに関係する情報の解析を容易にするために、無線通信装置１０２（及び／又はメモリ１４２）に有効に接続されることができる。プロセッサ１４４は、セッションへの招待（invitation）を受信する第１のモジュールを含むことができる。招待は、モバイル・デバイスにより送信され、また、メディアのためのパケット交換ベアラを有する。プロセッサ１４４はまた、招待を拒否する第２のモジュールと、セッションを保留するようにネットワーク・エンティティーに要求する第３のモジュールとを含む。プロセッサ１４４にはまた、ネットワーク・エンティティーへの回線交換コールを確立する第４のモジュールと、セッション及び回線交換コールの上でモバイル・デバイスと通信する第５のモジュールが含まれることができる。
【００４０】
いくつかの態様に従って、第２のモジュールは、さらに、エラー・メッセージのボディーまたはヘッダにアイドル・モード・シグナリング・リダクションのインジケーションを含むエラー・メッセージを送信する。いくつかの態様によると、第２のモジュールは、さらに、特徴タグにおいてアイドル・モードのシグナリング・リダクションのインジケーションを送信する。
【００４１】
いくつかの態様に従って、以下では、一態様に従った、無線通信装置１０２により実行されるＧｍの上での呼制御及びＣＳへのフォールバックを説明する。ＩＣＳモバイル・デバイス（例えば、無線通信装置１０２）がＳＩＰ招待リクエスト（SIP INVITE request）（例えば、ＳＩＰ招待（ＳＩＰ ＩＮＶＩＴＥ）１２０）を受信し、および、ＩＣＳモバイル・デバイスがＩＰベアラを利用するコールを着信（terminates）する場合に、モバイル・デバイスの着信アクセス領域選択（mobile device Terminating Access Domain Selection）（Ｔ−ＡＤＳ）（例えば、領域モジュール１２４）が、モバイル・デバイスがＣＳ発信を使用するべきであると判定するならば（そして、（ＴＳ ２４．３０１の通りに）ＩＳＲがアクティブであり、そして、（ＴＳ ２３．２１６の通りに）ＳＲＶＣＣ手続きが使用されるならば）、ＩＣＳモバイル・デバイスは、現在のネットワークがＩＳＲに依存することを示すＳＤＰアンサーまたはＳＩＰヘッダを含む、最初のＳＩＰ招待リクエスト（initial SIP INVITE request）に対するエラーＳＩＰレスポンス（error SIP response）（例えば、エラー・メッセージ１２８）を送信しても良い。
【００４２】
ＩＣＳモバイル・デバイスは、３ＧＰＰシステムのための３ＧＰＰ ＴＳ ２４．００８［７］に従って、ＣＣセットアップ・メッセージ（CC SETUP message）（例えば、ＣＳコール１３４）を送信する。モバイル・デバイスは、以下の通りに３ＧＰＰシステムのためのＣＣセットアップ・メッセージをポピュレート（populate）しなければならない：被呼者（called party）のＢＣＤ番号情報要素は、ＳＩＰ招待リクエスト（SIP INVITE request）のＳＤＰボディーにおいて受信されるＳＣＣ ＡＳ ＰＳＩ ＤＮに設定される。
【００４３】
本明細書で説明されるデータ・ストア（たとえば、メモリ）は、揮発性メモリ又は不揮発性メモリのいずれかであることもでき、又は、揮発性及び不揮発性メモリを両方を含むこともできることは認識されるべきである。制限とではなく例として、不揮発性メモリは、読み出し専用メモリ（ＲＯＭ）、プログラマブルＲＯＭ（ＰＲＯＭ）、電気的書換え可能ＲＯＭ（ＥＰＲＯＭ）、電気的消去可能ＲＯＭ（ＥＥＰＲＯＭ）又はフラッシュメモリを含むことができる。揮発性メモリは、外部キャッシュメモリとして機能するランダムアクセスメモリ（ＲＡＭ）を含むことができる。制限ではなく説明として、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、２倍速ＳＤＲＡＭ（ＤＤＲ ＳＤＲＡＭ）、拡張ＳＤＲＡＭ（enhanced SDRAM）（ＥＳＤＲＡＭ）、シンクリンクＤＲＡＭ（ＳＬＤＲＡＭ）及びダイレクトラムバスＲＡＭ（ＤＲＲＡＭ））のような多くの形で利用可能である。開示された態様のメモリは、これら及び他の適切なタイプのメモリを含むことを意図されている（ただし、それらに制限されるものではない）。
【００４４】
本明細書で図示及び説明される例示的なシステムを考慮して、開示された主題に従って実装され得る手順が、以下の様々なコールフロー又はフローチャートを参照して、より良く認識されるであろう。説明を簡単にする目的で、手順が一連のブロックとして図示され説明されるが、幾つかの手順は、ブロックの数及び順序により制限されるものではなく、いくつかのブロックが、本明細書で図示され説明される順序とは異なる順序で及び／又は他のブロックと実質的に同じ時刻に、発生しても良いことは、理解（understood）及び認識（appreciated）されるべきである。さらに、本明細書で説明される手順を実装するために、必ずしも説明されたすべてのブロックが要求されなくても良い。ブロックに関連する機能性が、ソフトウェア、ハードウェア、それらの組み合せ又は他の任意の適した手段（例えば、デバイス、システム、プロセス、コンポーネント）により実装されても良いことは、認識されるべきである。その上、この明細書を通して開示される手順は、そのような手順を様々なデバイスへトランスポート（transporting）及び転送（transferring）することを容易にするために、製品（article of manufacture）上に記憶されることができることは、更に認識されるべきである。代わりに手順が一連の相互に関係のある状態又はイベントとして（例えば状態図において）表されることができることは、当業者が理解又は認識するであろう。
【００４５】
図２は、一つの態様に従った、モバイル・デバイス支援された着信アクセス領域選択を使用するフォールバックのためのコールフロー２００を示す。第１のモバイル・デバイス２０２及び第２のモバイル・デバイス２０４が各ブロックにより表されている。また、モバイル・スイッチング・センター（ＭＳＣ ２０６）サーバ、メディア・ゲートウェイ（ＭＧＷ）２０８、サービング・コール・セッション制御機能（Ｓ−ＣＳＣＦ ２１０）、及び、サービス集中化及び継続性アプリケーション・サーバ（ＳＣＣ ＡＳ ２１２）が表されている。
【００４６】
コールフロー２００が開始し、第１のモバイル・デバイス２０２がセッションのための招待（ＩＮＶＩＴＥ）２１４を送信する。招待２１４は、ＳＩＰ招待（ＳＩＰ ＩＮＶＩＴＥ）であることができる。Ｓ−ＣＳＣＦ ２１０は、サービス制御２１６を実行し、そして、招待２１８をＳＣＣ ＡＳ ２１２へ送信する。ＳＣＣ ＡＳ ２１２は、セッションをアンカー（anchors）し、着信アクセス領域選択（Ｔ−ＡＤＳ）を実行する（２２０）。招待（ＩＮＶＩＴＥ）２２２，２２４は、第２のモバイル・デバイス２０４に送信される。第２のモバイル・デバイス２０４は、Ｔ−ＡＤＳ２２６（例えば、領域選択）を実行し、そして、レスポンス（response）２２８，２３０を、ＳＣＣ ＡＳ ２１２に送信する。レスポンス（response）は、（招待２１４に関連する）セッションを保留（hold）するようにＳＣＣ ＡＳ ２１２に指示する。回線交換コール（ＣＳ）がセットアップされ（ＣＳセットアップ（CS Setup）２３２）、そして、発信コール確立（originating call establishment）が起こる（２３４）。ＳＣＣ ＡＳ ２１２は、保留されたセッションと、（元の招待（original INVITE）２１４に関連する）着信回線交換コール（incoming circuit switched call）とをマッチングし、そして、該セッションを回線交換コールと接続する。そして、ＣＳ領域ベアラ２３６及びＩＭＳベアラ２３８を確立する。
【００４７】
図３は、一つの態様に従った、モバイル・デバイス支援された着信アクセス領域選択を使用するフォールバックのためのコールフロー３００を示す。第１のモバイル・デバイス３０２及び第２のモバイル・デバイス３０４が各ブロックにより表されている。また、ＭＳＣ３０６サーバ、ＭＧＷ３０８、Ｓ−ＣＳＣＦ３１０、ＳＣＣ ＡＳ ３１２、及び、ホーム加入者サーバ（ＨＳＳ３１４）が表されている。
【００４８】
コールフロー３００が開始し、第１のモバイル・デバイス３０２が招待（ＩＮＶＩＴＥ）３１６を送信し、Ｓ−ＣＳＣＦ３１０がサービス制御３１８を実行し、そして、招待（ＩＮＶＩＴＥ）３２０をＳＣＣ ＡＳ ３１２へ送信する。ＳＣＣ ＡＳ ３１２は、セッションをアンカーし、Ｔ−ＡＤＳを実行する（３２２）。Ｓ−ＣＳＣＦに招待（ＩＮＶＩＴＥ）３２４が送信され、そして、第２のモバイル・デバイス３０４に招待（ＩＮＶＩＴＥ）３２６が送信される。モバイル・デバイスのＴ−ＡＤＳ（例えば、領域選択）が実行される（３２８）。それゆえ、上記のステップにおいて、ＳＣＣ ＡＳ ３１２は、ＳＩＰ招待（ＳＩＰ ＩＮＶＩＴＥ）を、着信側モバイル・デバイス（例えば、第２のモバイル・デバイス３０４）へ送信した。そして、着信側モバイル・デバイスは、いずれの領域がコールを着信するのに使用されるべきかについて決定した。
【００４９】
招待（ＩＮＶＩＴＥ）３２６がＰＳ領域のためのものであり、かつ、第２のモバイル・デバイス３０４がＣＳ領域を選択するならば、第２のモバイル・デバイス３０４は、エラー・メッセージ３３０，３３２を送信する。いくつかの態様に従って、アイドル・モード・シグナリング・リダクション（ＩＳＲ）を示す情報をもつエラー・メッセージが送信される。いくつかの態様によると、ＳＣＣ ＡＳ ３１２は、登録された特徴タグからＩＳＲ情報を受信する。エラー・メッセージは、エラーコード（例えば、“４８８”、“３８０”、または、招待３２６の拒否（rejection）に関連する情報を示す何らかの他のエラーコード）を有することができる。エラーコードは、エラー・メッセージのボディーまたはヘッダにおいて送信されることができる。いくつかの態様に従って、第２のモバイル・デバイス３０４は、アイドル・モード・シグナリング・リダクション（ＩＳＲ）インジケーションを含むエラー・メッセージを送信することができる。ＳＣＣ ＡＳ ３１２は、特徴タグにおいて、登録されたアイドル・モード・シグナリング・リダクションのための情報を得ることができる。第２のモバイル・デバイス３０４のアイドル・モード・シグナリング・リダクション能力（capabilities）が変化する場合には、特徴タグは、第２のモバイル・デバイス３０４によりアップデートされることができる。第２のモバイル・デバイス３０４によりセットアップされる回線交換コールを待つ間、ＳＣＣ ＡＳ ３１２は、セッションを保留の状態（on hold）に設定する（places）（３３４）。
【００５０】
ＳＣＣ ＡＳ ３１２は、（インターネット・プロトコル・マルチメディア・プライベート識別情報）ＩＭＰＩをフェッチするために、コンタクト・ヘッダ中のＧＲＵＵを使用することができる（３３６）。第２のモバイル・デバイス３０４は、被呼者（called party）のＢＣＤ情報を使用して、ＣＳコールをセットアップする（３３８）。第２のモバイル・デバイス３０４は、回線交換コールを確立するために、被呼者（called party）のＢＣＤ番号（BCD number）にダイヤル（dial）するために、予め設定された（preconfigured）又は受信された番号を利用する。たとえば、ＢＣＤ番号は、ＳＣＣ ＡＳ ３１２により送信されるメッセージに含まれることができる。ＢＣＤ番号は、ＩＭＳセッションをＳＣＣ ＡＳ ３１２に向けてセットアップするために、ネットワークをトリガーすることができる。
【００５１】
ＭＳＣ３０６は、ＰアサーテッドＩＤにＴｅｌ−ＵＲＩを挿入することによって、第２のモバイル・デバイス３０４に代わって、招待（ＩＮＶＩＴＥ）３４０，３４２を送信する。ＳＣＣ ＡＳは、Ｓｈ参照点を介して、ＩＭＰＩをフェッチするために、Ｔｅｌ−ＵＲＩを使用する（３４４）。ＳＣＣ ＡＳ ３１２は、承認された場合には（if approved）、着信コール（incoming call）を、保留中のセッション（pending session）に関連付け（３４６）、そして、コネクションをセットアップする。たとえば、ＳＣＣ ＡＳ ３１２は、ＣＳコールのＩＭＰＩを、保留されたセッションのＩＭＰＩに関連付ける。いくつかの態様に従って、該関連付けは、Ｓｈ参照点を介して、ＨＳＳ（家庭加入者サービス（Home Subscriber Service））から、関連するインターネット・プロトコル・マルチメディア・プライベート識別情報（ＩＭＰＩ）をフェッチした後に、最初のＳＩＰ招待（ＳＩＰ ＩＮＶＩＴＥ）に挿入されるＧＲＵＵにより、ＴＥＬ−ＵＲＩ（テレフォン・ユニフォーム・リソース識別子）としてＰアサーテッドＩＤに挿入されるモバイル加入者統合サービスディジタルネットワーク番号（Mobile Subscriber Integrated Services Digital Network Number）（ＭＳＩＳＤＮ）に基づくものである。マッチングが存在するならば、最初の招待（ＩＮＶＩＴＥ）が承認（approved）され（３４８）、そして、ＣＳ領域ベアラ３５０及びＩＭＳベアラ３５２が確立される。
【００５２】
図４は、一つの態様に従って、呼制御及び回線交換領域へのフォールバックのための方法４００を示す。方法４００は、モバイル・デバイスにより実行されることができる。４０２において、セッションのための招待（invitation）が受信される。招待は、ネットワーク・エンティティーを通して受信され、そして、発信側デバイスからであることができる（例えば、発信側デバイスのユーザは、モバイル・デバイスのユーザへの通信を開始した）。セッションは、メディアのためのＰＳベアラを有することができる。いくつかの態様に従って、セッション開始プロトコル招待リクエスト（Session Initiation Protocol INVITE request）が受信される。
【００５３】
４０４において、招待の拒否（rejection）が、ネットワーク・エンティティーに送信される。拒否は、セッションを保留するためのネットワーク・エンティティーに対するリクエストを含むことができる。拒否は、エラー・メッセージを送信することと、ネットワーク・エンティティーによりセッションが保留されることを要求することを含むことができる。いくつかの態様によると、拒否は、アイドル・モード・シグナリング・リダクションのインジケーションを含むエラー・メッセージを送信することを含むことができる。アイドル・モード・シグナリング・リダクションのインジケーションは、エラー・メッセージのボディーまたはヘッダに含まれることができる。いくつかの態様によると、アイドル・モード・シグナリング・リダクションのインジケーションは、特徴タグにおいて送信される。
【００５４】
４０６において、回線交換コールが確立され、そして、ネットワーク・エンティティーに送信される。ネットワーク・エンティティーに到着すると（while reaching）、ＣＳ通信は、ＩＭＳセッションに変換される。ネットワーク・エンティティーは、着信セッション（incoming session）を、保留されたセッションに関連付ける。４０８において、発信側デバイスとモバイル・デバイスとの間のセッションがセットアップされ、そして、デバイス（またはデバイス・ユーザ）は通信することができる。
【００５５】
いくつかの態様に従って、コンピュータ・プログラム製品は、方法４００の様々な態様を実行するためのコードを含むコンピュータ読み取り可能な媒体を含むことができる。コンピュータ読み取り可能な媒体は、コンピュータに、メディアのためのパケット交換ベアラをもつセッションのための招待（invitation）を受信させるための第１のコードセットと、コンピュータに、招待を拒否させるための第２のコードセットを含むことができる。コンピュータ読み取り可能な媒体はまた、コンピュータに、ネットワーク・エンティティーに向けて回線交換コールを確立させるための第３のコードセットと、コンピュータに、セッションと回線交換コールとの関連付けである通信を処理させるための第４のコードセットを含む。
【００５６】
いくつかの態様に従って、コンピュータ読み取り可能な媒体は、コンピュータに、第３のコードセットが回線交換コールを確立する前に、セッションを保留するようにネットワーク・エンティティーにリクエストさせるための第５のコードセットを更に含む。
【００５７】
図５は、一つの態様によれば、ＣＳの上のフォールバックとしてのコール着信のための方法５００を示す。方法５００は、ネットワーク・エンティティー（例えば、ＳＣＣ ＡＳ）により実行されることができる。方法５００が開始し、５０２において、セッションに対する招待（invitation）がモバイル・デバイスに転送される。招待は、発信側デバイスから受信されることができ、そして、メディアのためのパケット交換ベアラを有することができる。５０４において、セッションは、モバイル・デバイスによる招待に対する拒否に応じて、保留される。いくつかの態様によると、セッションは、モバイル・デバイスから、アイドル・モード・シグナリング・リダクションのインジケーションを含むエラー・メッセージを受信することに基づいて、保留される。アイドル・モード・シグナリング・リダクションのインジケーションは、エラー・メッセージのヘッダまたはボディーにおいて受信されることができる。いくつかの態様に従って、セッションは、特徴タグからアイドル・モード・シグナリング・リダクションのインジケーションを受信することに基づいて、保留される。
【００５８】
５０６において、回線交換コールがモバイル・デバイスから受信される。５０８において、回線交換コールがセッションに関連付けられる。いくつかの態様に従って、関連付けが実行される前に、回線交換コールは、インターネット・プロトコル・マルチメディア・サブシステム・セッションに変換される。いくつかの態様によると、関連付けは、セッションのインターネット・プロトコル・マルチメディア・プライベート識別情報（ＩＭＰＩ）が回線交換コールのＩＭＰＩにマッチングすることを判定することを含む。ＣＳコールがセッションにマッチングするならば、５１０において、発信側デバイスとモバイル・デバイスとの間の通信が確立される。
【００５９】
いくつかの態様に従って、コンピュータ・プログラム製品は、方法５００の様々な態様を実行するためのコードを含むコンピュータ読み取り可能な媒体を含むことができる。コンピュータ読み取り可能な媒体は、コンピュータに、パケット交換メディアを使用して、Ｇｍ参照点の上で最初の招待（initial INVITE）を第１のノードに向けて転送させるための第１のコードセットを含むことができる。また、コンピュータに、セッション記述プロトコル（ＳＤＰ）ボディーに送信先ネットワークのプロトコル固有識別情報（ＰＳＩ ＤＮ）をもつ第１のセッション開始プロトコル（ＳＩＰ ＩＮＶＩＴＥ）リクエストを作成させるための第２のコードセットが含まれる。コンピュータ読み取り可能な媒体はまた、コンピュータに、ＳＩＰ ＩＮＶＩＴＥを第１のノードへルーティングさせるための第３のコードセットと、コンピュータに、ネットワークがアイドル・モード・シグナリング・リダクション（ＩＳＲ）に依存することを示すエラーＳＩＰレスポンスを、第１のノードから受信させるための第４のコードセットを含む。さらに、コンピュータ読み取り可能な媒体は、コンピュータに、最初の招待に関連するセッションを保留させるための第５のコードセットと、コンピュータに、ＳＩＰレスポンスのコンタクト・ヘッダに挿入されるＧＲＵＵに関連付けられたインターネット・プロトコル・マルチメディア・プライベート識別情報（ＩＭＰＩ）をフェッチさせるための第６のコードセットを含む。また、第２のＳＩＰ招待リクエスト（SIP INVITE request）をＣＳ領域から受信するための第７のコードセットと、コンピュータに、ＳＩＰ招待（SIP INVITE）に関連するＩＭＰＩをフェッチさせるための第８のコードセットが含まれる。コンピュータ読み取り可能な媒体はまた、コンピュータに、第１のＳＩＰ招待に関連するＩＭＰＩが第２のＳＩＰ招待に関連するＩＭＰＩにマッチする場合に、第２のノードに向けてセッションを確立させるための第９のコードセットを含む。
【００６０】
いくつかの態様に従って、コンピュータ読み取り可能な媒体は、コンピュータに、第７のコードセットがＩＭＰＩをフェッチする前に、第２のＳＩＰ招待のリクエスト・ユニバーサル・リソース識別子（ＵＲＩ）が有効なＰＳＩ ＤＮにセットされることを確認させるための第１０のコードセットを更に含む。
【００６１】
いくつかの態様によって、コンピュータ読み取り可能な媒体は、コンピュータに、ＰアサーテッドＩＤの値が第１のノードのモバイル加入者統合サービスディジタルネットワーク番号（Ｃ−ＭＳＩＳＤＮ）により生成される場合に、Ｓｈ参照点を介してホーム加入者サーバ（ＨＳＳ）からＳＩＰ招待に関連するＩＭＰＩをフェッチさせるための第１０のコードセットを更に含む。
【００６２】
さて、図６を参照して、開示された態様の１又は複数に従って、モバイル・デバイス支援された着信アクセス領域選択を使用してフォールバックを容易にするシステム６００が説明される。システム６００は、ユーザ・デバイス内に存在することができる。システム６００は、たとえば受信機アンテナから、信号を受信することができる受信機コンポーネント６０２を含む。受信機コンポーネント６０２は、その上で、典型的なアクション（例えば、受信された信号を、フィルタリングし、増幅し、ダウンコンバートするなど）を実行することができる。受信機コンポーネント６０２はまた、サンプルを得るために、調整（conditioned）された信号をデジタイズすることができる。復調器６０４は、各々のシンボル期間ごとに受信シンボルを得ることができ、また、受信シンボルをプロセッサ６０６に提供する。
【００６３】
プロセッサ６０６は、受信機コンポーネント６０２により受信される情報を解析すること及び／又は送信機６０８による送信のための情報を生成することのために専用されるプロセッサであることができる。加えて又は代わりに、プロセッサ６０６は、システム６００の１又は複数のコンポーネントを制御することができ、受信機コンポーネント６０２により受信される情報を解析することができ、送信機６０８による送信のための情報を生成することができ、及び／又は、システム６００の１又は複数のコンポーネントを制御することができる。プロセッサ６０６は、更なるユーザ・デバイスとの通信を調整（coordinating）することができるコントローラ・コンポーネントを含んでも良い。
【００６４】
システム６００は、さらに、プロセッサ６０６に有効に接続されるメモリ６１０を含むことができる。メモリ６１０は、通信を調整することに関係する情報及び任意の他の適した情報を記憶することができる。メモリ６１０は、さらに、フォールバック手続きに関連するプロトコルを記憶することができる。様々な態様のメモリ６１０は、これら及び任意の他の適切なタイプのメモリを含むことを意図されている（ただし、それらに制限されるものではない）。システム６００は、さらに、シンボル変調器６１２を含むことができる。ここで、送信機６０８は変調信号を送信する。
【００６５】
受信機コンポーネント６０２は、さらに、通信のために利用されるべき領域を選択するように構成されるＴ−ＡＤＳモジュール６１４に有効に接続される。Ｔ−ＡＤＳモジュール６１４はまた、選択された領域とは異なる領域を利用する着信する通信（incoming communication）を保留するようにネットワーク・エンティティーに要求するように構成される。たとえば、着信する通信（incoming communication）がＰＳ領域の上にあり、かつ、ＣＳ領域が利用されるべきであるとＴ−ＡＤＳモジュール６１４が判定するならば、拒否がネットワーク・エンティティーに伝えられる。選択された領域（例えば、ＣＳ領域）の上での通信が開始される。ネットワーク・エンティティーが着信する通信（incoming communication）を開始された通信にマッピングするならば、ネットワーク・エンティティーは、保留された通信と開始された通信とを関連付ける。
【００６６】
図７は、本明細書で示される様々な態様に従って通信環境におけるフォールバック手続きを容易にするシステム７００の説明図である。システム７００は、アクセスポイントまたは基地局７０２を含む。図示されるように、基地局７０２は、受信アンテナ７０６により１又は複数の通信デバイス７０４（例えば、ユーザデバイス）から（１又は複数の）信号を受信し、そして、送信アンテナ７０８を通して１又は複数の通信デバイス７０４に送信する。
【００６７】
基地局７０２は、受信アンテナ７０６から情報を受信する受信機７１０を含み、また、受信された情報を復調する復調器７１２と有効に関連されている。復調されたシンボルは、ブロードキャスト−フォールバック手続きに関係する情報を記憶するメモリ７１６に接続されるプロセッサ７１４により解析される。変調器７１８は、送信アンテナ７０８を通した送信機７２０による通信デバイス７０４への送信のための信号を多重化することができる。
【００６８】
プロセッサ７１４は、さらに、（例えば、ＰＳ領域の上で）保留された通信が、開始された通信（例えば、ＣＳ領域）にマッチするかどうかについて判定するように構成されるアソシエーション・モジュール７２２に接続される。マッチングが存在するならば、回線交換領域ベアラ及びＩＭＳベアラの上で、発信側デバイスと着信側デバイスとの間の対話がセットアップされる。
【００６９】
図８を参照して、一態様に従った、フォールバックのためのモバイル・デバイス支援された着信アクセス領域選択を利用する例であるシステム８００が説明される。システム８００は、モバイル・デバイスの内部に少なくとも部分的に存在しても良い。システム８００は、複数の機能ブロック（それらはプロセッサ、ソフトウェアまたはそれらの組み合せ（例えば、ファームウェア）により実装される機能を表す機能ブロックであり得る）を含むものとして表されることは認識されるべきである。
【００７０】
システム８００は、別々にまたは同時に動作することができる複数の電気コンポーネントの論理グループ８０２を含む。論理グループ８０２は、セッションへの招待（invitation）を受信するための電気コンポーネント８０４を含んでも良い。招待は、モバイル・デバイスにより送信され、メディアのためのパケット交換ベアラを有する。
【００７１】
論理グループ８０２はまた、招待（invitation）を拒否（rejecting）するための電気コンポーネント８０６を含む。いくつかの態様に従って、電気コンポーネント８０６は、エラー・メッセージをネットワーク・エンティティーに送信するための電気コンポーネント８０８を含む。いくつかの態様によると、電気コンポーネント８０６は、エラー・メッセージのヘッダまたはボディーにアイドル・モード・シグナリング・リダクション・インジケータを含むエラー・メッセージを送信するための電気コンポーネント８１０を含む。いくつかの態様によると、電気コンポーネント８０６は、現在のネットワークがアイドル・モード・シグナリング・リダクション（ＩＳＲ）に依存することを判定するための電気コンポーネント８１２を含む。
【００７２】
論理グループ８０２にはまた、セッションを保留するようにネットワーク・エンティティーに要求するための電気コンポーネント８１４、および、ネットワーク・エンティティーへの回線交換コールを確立するための電気コンポーネント８１６が含まれる。また、セッション及び回線交換コールの上でモバイル・デバイスと通信するための電気コンポーネント８１８が含まれる。
【００７３】
さらに、システム８００は、電気コンポーネント８０４−８１８または他のコンポーネントに関連する機能を実行するための命令を記憶するメモリ８２０を含むことができる。メモリ８２０の外部に存在するものとして示されるが、１又は複数の電気コンポーネント８０４−８１８がメモリ８２０の内部に存在しても良いことは理解されるべきである。
【００７４】
図９を参照して、一態様に従った、モバイル・デバイス支援された着信アクセス領域選択に基づく通信環境におけるフォールバック手続きを容易にする例であるシステム９００が説明される。システム９００は、ネットワーク・エンティティーの内部に少なくとも部分的に存在しても良い。システム９００は、複数の機能ブロック（それらはプロセッサ、ソフトウェアまたはそれらの組み合せ（例えば、ファームウェア）により実装される機能を表す機能ブロックであり得る）を含むものとして表されることは認識されるべきである。
【００７５】
システム９００は、別々にまたは同時に動作することができる複数の電気コンポーネントの論理グループ９０２を含む。論理グループ９０２は、セッションのための招待（invitation）を第１のモバイル・デバイスに転送するための電気コンポーネント９０４を含む。招待は、第２のモバイル・デバイスからであり、メディアのためのパケット交換ベアラを有する。また、招待に対する拒否を受信するための電気コンポーネント９０６が含まれる。いくつかの態様に従って、電気コンポーネント９０６は、エラー・メッセージのヘッダまたはボディーにアイドル・モード・シグナリング・リダクションのインジケーションを含むエラー・メッセージを受信するための電気コンポーネント９０８を含む。いくつかの態様によると、電気コンポーネント９０６は、特徴タグからアイドル・モード・シグナリング・リダクションのインジケーションを受信するための電気コンポーネント９１０を含む。
【００７６】
論理グループ９０２はまた、第１のモバイル・デバイスによる招待への拒否に応じて、一時的にセッションを保留するための電気コンポーネント９１２を含む。また、第１のモバイル・デバイスから回線交換コールを取得するための電気コンポーネント９１４、および、回線交換コールをセッションにマッピングするための電気コンポーネント９１６が含まれる。いくつかの態様に従って、電気コンポーネント９１６は、セッションのインターネット・プロトコル・マルチメディア・プライベート識別情報と回線交換コールとの間にマッチングが存在することを判定するための電気コンポーネント９１８を含む。論理グループ９０２はまた、第１のモバイル・デバイスと第２のモバイル・デバイスとの間の通信を確立するための電気コンポーネント９２０を含む。
【００７７】
さらに、システム９００は、電気コンポーネント９０４−９２０または他のコンポーネントに関連する機能を実行するための命令を記憶するメモリ９２２を含むことができる。メモリ９２０の外部に存在するものとして示されるが、１又は複数の電気コンポーネント９０４−９２０がメモリ９２２の内部に存在しても良いことは理解されるべきである。
【００７８】
さて、図１０を参照して、１又は複数の態様に従った多元接続無線通信システム１０００が説明される。無線通信システム１０００は、１又は複数のユーザ・デバイスとコンタクトする１又は複数の基地局を含むことができる。各々の基地局は、複数のセクターのためのカバレージを提供する。複数のアンテナ・グループ（一つはアンテナ１００４と１００６を含み、他はアンテナ１００８と１０１０を含み、三番目はアンテナ１０１２と１０１４含む）を含む３セクター基地局（three-sector base station）１００２が説明される。図面によると、各々のアンテナ・グループについて二つのアンテナのみが示されているが、各々のアンテナ・グループについてより多い又はより少ないアンテナが利用されても良い。モバイル・デバイス１０１６は、アンテナ１０１２及び１０１４と通信する。ここで、アンテナ１０１２及び１０１４は、順方向リンク１０１８の上でモバイル・デバイス１０１６に情報を送信し、逆方向リンク１０２０の上でモバイル・デバイス１０１６から情報を受信する。順方向リンク（またはダウンリンク）は、基地局からモバイル・デバイスへの通信リンクを指し示し、逆方向リンク（またはアップリンク）は、モバイル・デバイスから基地局への通信リンクを指し示す。モバイル・デバイス１０２２は、アンテナ１００４及び１００６と通信する。ここで、アンテナ１００４及び１００６は、順方向リンク１０２４の上でモバイル・デバイス１０２２に情報を送信し、逆方向リンク１０２６の上でモバイル・デバイス１０２２から情報を受信する。ＦＤＤシステムにおいて、たとえば、通信リンク１０１８，１０２０，１０２４及び１０２６は、通信のために異なる周波数を利用しても良い。たとえば、順方向リンク１０１８は、逆方向リンク１０２０により利用される周波数とは異なる周波数を使用しても良い。
【００７９】
各々のアンテナ・グループ及び／又はそれらが通信するようにデザインされているエリアは、基地局１００２のセクターと呼ばれても良い。１又は複数の態様において、アンテナ・グループそれぞれは、基地局１００２によりカバーされるセクターまたはエリアにおけるモバイル・デバイスに通信するようにデザインされている。基地局は、モバイル・デバイスと通信するために使用される固定局であっても良い。
【００８０】
順方向リンク１０１８及び１０２４上の通信において、基地局１００２の送信アンテナは、異なるモバイル・デバイス１０１６及び１０２２のために順方向リンクの信号対雑音比を改善するために、ビームフォーミングを利用することができる。また、そのカバレージエリア全体にわたってランダムに散在するモバイル・デバイスに送信するためにビームフォーミングを利用する基地局は、単一のアンテナによりそのカバレージエリアにおけるすべてのモバイル・デバイスに送信する基地局によりもたらされる可能性がある干渉に比べてより少ない干渉を、近隣のセルにおけるモバイル・デバイスにもたらし得る。
【００８１】
図１１は、例である無線通信システム１１００を示す。無線通信システム１１００は、簡潔にするために、一つの基地局１１０２と一つのモバイル・デバイス１１０４を表す。しかし、システム１１００が２以上の基地局及び／又は２以上のモバイル・デバイスを含むことができる（ここで、更なる基地局及び／又はモバイル・デバイスは、下で説明される例である基地局１１０２及びモバイル・デバイス１１０４と実質的に同様又は異なるものであることができる）ことは認識されるべきである。さらに、基地局１１０２及び／又はモバイル・デバイス１１０４が、それらの間の無線通信を容易にするために、本明細書で説明されるシステム及び／又は方法を使用することができることは認識されるべきである。
【００８２】
基地局１１０２において、いくつかのデータストリームのためのトラフィック・データが、データ・ソース１１０６から送信（ＴＸ）データプロセッサ１１０８へ提供される。一つの例によれば、各々のデータストリームは、それぞれのアンテナの上に送信されることができる。ＴＸデータプロセッサ１１０８は、データストリームを、そのデータストリームのために選択される特定の符号化スキームに基づいて、フォーマット、符号化及びインターリーブして、符号化されたデータを提供する。
【００８３】
各々のデータストリームごとの符号化されたデータは、直交周波数分割多重（ＯＦＤＭ）技術を使用して、パイロット・データとともに多重化されることができる。加えて又は代わりに、パイロット・シンボルは、周波数分割多重化（ＦＤＭ）されることも、時分割多重化（ＴＤＭ）されることも、または、符号分割多重化（ＣＤＭ）されることもできる。パイロット・データは、一般的に、既知の方法で処理される既知のデータ・パターンであり、チャネル・レスポンスを推定するためにモバイル・デバイス１１０４において使用されることができる。各々のデータストリームごとの多重化されたパイロット及び符号化されたデータは、変調シンボルを提供するために、そのデータストリームのために選択される特定の変調スキーム（例えば、２位相偏移変調（ＢＰＳＫ）、４位相偏移変調（ＱＰＳＫ）、Ｍ位相シフトキーイング（Ｍ−ＰＳＫ）、Ｍ直交振幅変調（Ｍ−ＱＡＭ）など）に基づいて、変調（例えば、シンボルマッピング）されることができる。各々のデータストリームごとのデータレート、符号化及び変調は、プロセッサ１１１０により実行又は提供される命令によって判定されることができる。
【００８４】
データストリームのための変調シンボルは、ＴＸ ＭＩＭＯプロセッサ１１１２に提供されることができ、ＴＸ ＭＩＭＯプロセッサ１１１２は、該変調シンボルをさらに処理することができる（例えば、ＯＦＤＭのために）。ＴＸ ＭＩＭＯプロセッサ１１１２は、それから、ＮＴ個の変調シンボル・ストリームをＮＴ個の送信機（ＴＭＴＲ）１１１４ａ〜１１１４ｔに提供する。様々な実施形態において、ＴＸ ＭＩＭＯプロセッサ１１１２は、データストリームのシンボルへ及びシンボルがそこから送信されているアンテナへ、ビームフォーミング重みを適用する。
【００８５】
各々の送信機１１１４は、それぞれのシンボル・ストリームを受信し処理して、１又は複数のアナログ信号を提供し、さらに、該アナログ信号を調整（conditions）（例えば、増幅、フィルタリング及びアップコンバート）して、ＭＩＭＯチャネルの上での伝送に適した変調する信号を提供する。さらに、送信機１１１４ａ〜１１１４ｔからのＮＴ個の変調信号は、それぞれ、ＮＴ個のアンテナ１１１６ａ〜１１１６ｔ送信される。
【００８６】
モバイル・デバイス１１０４において、送信された変調信号は、ＮＲ個のアンテナ１１１８ａ〜１１１８ｒにより受信され、そして、各々のアンテナ１１１８からの受信信号は、それぞれの受信機（ＲＣＶＲ）１１２０ａ〜１１２０ｒに提供される。各々の受信機１１２０は、それぞれの信号を、調整（例えば、フィルタリング、増幅及びダウンコンバート）し、該調整された信号をデジタイズして、サンプルを提供し、さらに、該サンプルを処理して、対応する“受信（received）”シンボル・ストリームを提供する。
【００８７】
ＲＸデータプロセッサ１１２２は、特定の受信機処理技術（receiver processing technique）に基づいて、ＮＲ個の受信機１１２０からのＮＲ個の受信シンボル・ストリームを受信し処理して、ＮＴ個の“検出（detected）”シンボル・ストリームを提供することができる。ＲＸデータプロセッサ１１２２は、各々の検出シンボル・ストリームを、復調し、デインターリーブし、そして、復号して、データストリームのためにトラフィック・データを再生（recover）することができる。ＲＸデータプロセッサ１１２２による処理は、基地局１１０２におけるＴＸ ＭＩＭＯプロセッサ１１１２及びＴＸデータプロセッサ１１０８により実行されるそれと相補的である。
【００８８】
プロセッサ１１２４は、上で示したように、いずれのプレコーディング・マトリックスを利用するべきかについて周期的に判定することができる。さらに、プロセッサ１１２４は、マトリックス・インデックス部及びランク値部を含む逆方向リンク・メッセージを作成（formulate）することができる。
【００８９】
逆方向リンク・メッセージは、通信リンクや受信されたデータストリームに関して様々なタイプの情報を含むことができる。逆方向リンク・メッセージは、ＴＸデータプロセッサ１１２６（それはまたデータ・ソース１１２８からのいくつかのデータストリームのためのトラフィック・データを受信する）により処理され、変調器１１３０により変調され、送信機１１３２ａ〜１１３２ｒにより調整され、そして、もとの基地局１１０２へ送信されることができる。
【００９０】
基地局１１０２において、モバイル・デバイス１１０４により送信された逆方向リンク・メッセージを抽出するために、モバイル・デバイス１１０４からの変調信号が、アンテナ１１１６により受信され、受信機１１３４ａ〜１１３４ｔにより調整され、復調器１１３６により復調され、そして、ＲＸデータプロセッサ１１３８により処理される。さらに、プロセッサ１１１０は、該抽出されたメッセージを処理して、ビームフォーミング重みを判定するためにいずれのプレコーディング・マトリックスを使用するか判定することができる。
【００９１】
プロセッサ１１１０及び１１２４は、それぞれ、基地局１１０２及びモバイル・デバイス１１０４におけるオペレーションを、指示（direct）（例えば、制御、調整（coordinate）、管理など）することができる。それぞれのプロセッサ１１１０及び１１２４は、プログラム・コード及びデータを記憶するメモリ１１４０及び１１４２に関連されることができる。プロセッサ１１１０及び１１２４はまた、それぞれ、アップリンク及びダウンリンクのための周波数及びインパルス応答推定を得るための計算を実行することができる。
【００９２】
本明細書で説明される態様が、ハードウェア、ソフトウェア、ファームウェア、ミドルウェア、マイクロコード、又はそれらの任意の組み合せにおいて実装されることができることは理解されることができる。ハードウェア実装については、処理ユニットは、１又は複数の特定用途向けＩＣ（ＡＳＩＣ）、デジタルシグナルプロセッサ（ＤＳＰ）、デジタル信号処理装置（ＤＳＰＤ）、プログラマブル・ロジック・デバイス（ＰＬＤ）、フィールド・プログラマブル・ゲート・アレイ（ＦＰＧＡｓ）、プロセッサ、コントローラ、マイクロコントローラ、マイクロプロセッサ、本明細書で説明された機能を実行するようにデザインされた他の電子ユニット、又はそれらの組合せの中で実装されることができる。
【００９３】
本実施形態がソフトウェア、ファームウェア、ミドルウェア又はマイクロコード、プログラム・コード又はコード・セグメントで実装される場合、それらは、例えばストレージコンポーネントのような機械読み取り可能な媒体に記憶されることができる。コード・セグメントは、手続き、関数、サブプログラム、プログラム、ルーチン、サブルーチン、モジュール、ソフトウェア・パッケージ、クラスを表すことができ、又は、命令、データ構造若しくはプログラム・ステートメントの任意の組合せを表すことができる。コード・セグメントは、情報、データ、引数、パラメータ又はメモリ内容をパス及び／又は受信することによって、他のコード・セグメント又はハードウェア回路に接続されることができる。情報、引数、パラメータ、データなどは、メモリ共有、メッセージ・パッシング、トークン・パッシング、ネットワーク伝送など含む任意の適当な手段を用いて、パス、転送又は送信されることができる。
【００９４】
ソフトウェアで実装される場合には、該機能は、１又は複数の命令又はコードとして、コンピュータ読み取り可能な媒体に格納され又は、コンピュータ読み取り可能な媒体を通して伝送されても良い。コンピュータ読み取り可能な媒体（computer-readable media）は、コンピュータ記憶媒体（computer storage media）及び通信媒体（communication media）の両方を含み、或る場所から他の場所へのコンピュータ・プログラムの転送を容易にする任意の媒体を含む。記憶媒体は、汎用又は特殊目的コンピュータによってアクセスできる任意の利用可能な媒体であっても良い。制限としてではなく例として、そのようなコンピュータ読み取り可能な媒体は、ＲＡＭ、ＲＯＭ、ＥＥＰＲＯＭ、ＣＤ−ＲＯＭ又は他の光ディスク記憶装置、磁気ディスク記憶装置又は他の磁気記憶装置、又は、命令又はデータ構造の形で所望のプログラム・コードを運ぶ又は記憶するために使用されることができ且つ汎用若しくは特殊目的コンピュータ又は汎用若しくは特殊目的プロセッサによりアクセスされることができる任意の他の媒体を含むことができる。また、任意のコネクション（connection）は、適切にコンピュータ読み取り可能な媒体と呼ばれる。例えば、同軸ケーブル、光ファイバーケーブル、ツイストペア、デジタル加入者線（ＤＳＬ）、又は、例えば赤外線、無線及びマイクロ波のような無線技術を使用することによって、ウェブサイト、サーバ、又は他のリモートソースからソフトウェアが送信される場合に、その同軸ケーブル、光ファイバーケーブル、ツイストペア、ＤＳＬ、又は、例えば赤外線、無線及びはマイクロ波のような無線技術は、媒体の定義に含まれる。本明細書で用いられるディスク（Disk）及びディスク（disc）は、コンパクトディスク（ＣＤ）、レーザーディスク（登録商標）、光ディスク、デジタル・バーサタイル・ディスク（ＤＶＤ）、フロッピー（登録商標）ディスク及びブルーレイディスク（登録商標）を含む。ここで、ディスク（disks）は、通常、磁気的にデータを再生（reproduce）し、一方、ディスク（discs）は、レーザーを使って光学的にデータを再生する。上記の組み合わせはまた、コンピュータ読み取り可能な媒体の範囲の中に含まれるべきである。
【００９５】
本明細書で開示される態様に関連して説明される様々な実例となる論理、論理ブロック、モジュール及び回路は、汎用プロセッサ、デジタルシグナルプロセッサ（ＤＳＰ）、特定用途向けＩＣ（ＡＳＩＣ）、フィールド・プログラマブル・ゲート・アレイ（ＦＰＧＡ）又は他のプログラマブル・ロジック・デバイス、ディスクリート・ゲート又はトランジスタ・ロジック、ディスクリート・ハードウェアコンポーネント、又は、本明細書で説明される機能を実行するようにデザインされるそれらの任意の組み合わせで実装又は実行されても良い。汎用プロセッサは、マイクロプロセッサであっても良いが、代わりに、プロセッサは、任意の従来のプロセッサ、コントローラ、マイクロコントローラ又は状態機械であっても良い。プロセッサは、複数のコンピュータデバイスの組合せ（例えば、ＤＳＰとマイクロプロセッサの組み合せ、複数のマイクロプロセッサ、ＤＳＰコアと連携した１又は複数のマイクロプロセッサ、又は、任意の他のそのような構成）として実装されても良い。さらに、少なくとも１つのプロセッサは、本明細書で説明されるステップ及び／又はアクションのうちの１又は複数を実行するように動作可能な１又は複数のモジュールを含んでも良い。
【００９６】
ソフトウェア実装については、本明細書で説明される技術は、本明細書で説明される機能を実行するモジュール（例えば、手続き、関数、その他）で実装されても良い。ソフトウェア・コードは、メモリ・ユニットに記憶されて、プロセッサにより実行されても良い。メモリ・ユニットは、プロセッサの内部又は外部に実装されても良く、その場合には、メモリ・ユニットは、当該技術分野において知られている様々な手段を通して該プロセッサに通信で接続されることができる。さらに、少なくとも一つのプロセッサは、本明細書で説明される機能を実行ように動作可能な１又は複数のモジュールを含んでも良い。
【００９７】
本明細書で説明される技術は、例えばＣＤＭＡ、ＴＤＭＡ、ＦＤＭＡ、ＯＦＤＭＡ、ＳＣ−ＦＤＭＡ及び他のシステムのような様々な無線通信システムのために使用されても良い。用語“システム”及び“ネットワーク”はしばしば互換的に使用される。ＣＤＭＡシステムは、例えばユニバーサル地上無線アクセス（ＵＴＲＡ）、ＣＤＭＡ２０００などのような無線技術を実装し得る。ＵＴＲＡは、ワイドバンドＣＤＭＡ（Ｗ−ＣＤＭＡ）及びＣＤＭＡの他の変形を含む。さらに、ＣＤＭＡ２０００は、ＩＳ−２０００、ＩＳ−９５及びＩＳ−８５６標準をカバーする。ＴＤＭＡシステムは、例えばグローバル移動体通信システム（ＧＳＭ（登録商標））のような無線技術を実装し得る。ＯＦＤＭＡシステムは、例えば発展型ＵＴＲＡ（Evolved UTRA）（Ｅ−ＵＴＲＡ）、ウルトラ・モバイル・ブロードバンド（ＵＭＢ）、ＩＥＥＥ ８０２．１１（Ｗｉ−Ｆｉ）、ＩＥＥＥ ８０２．１６（ＷｉＭＡＸ）、ＩＥＥＥ ８０２．２０、Ｆｌａｓｈ−ＯＦＤＭ（登録商標）などのような無線技術を実装し得る。ＵＴＲＡ及びＥＵＴＲＡは、ユニバーサル移動通信システム（ＵＭＴＳ）の一部である。３ＧＰＰロングタームエボリューション（ＬＴＥ）は、Ｅ−ＵＴＲＡを使用するＵＭＴＳのリリースである。そして、それは、ダウンリンク上でＯＦＤＭＡを使用し、アップリンク上でＳＣ−ＦＤＭＡを使用する。ＵＴＲＡ、Ｅ−ＵＴＲＡ、ＵＭＴＳ、ＬＴＥ及びＧＳＭは、“第３世代パートナーシッププロジェクト”（３ＧＰＰ）と言う名前の団体からのドキュメントに記載されている。さらに、ＣＤＭＡ２０００及びＵＭＢは、“第３世代パートナーシッププロジェクト２”（３ＧＰＰ２）という名前の団体からのドキュメントに記載されている。さらに、そのような無線通信システムは、アンペア・アンライセンス・スペクトラム（unpaired unlicensed spectrums）、８０２．ｘｘ無線ＬＡＮ、Ｂｌｕｅｔｏｏｔｈ（登録商標）及び任意の他の短距離又は長距離の無線通信技術をしばしば使用するピア・ツー・ピア（例えば、モバイル・ツー・モバイル）アドホック・ネットワーク・システムを更に含んでも良い。
【００９８】
シングルキャリア変調（single carrier modulation）及び周波数領域等化（frequency domain equalization）を利用するシングルキャリア周波数分割多元接続（ＳＣ−ＦＤＭＡ）は、開示された態様で利用されることができる技術である。ＳＣ−ＦＤＭＡは、ＯＦＤＭＡシステムと同様のパフォーマンスを有し、また、ＯＦＤＭＡシステムと基本的に同様の全体的な複雑さを有する。ＳＣ−ＦＤＭＡ信号は、その固有のシングルキャリア構造のため、より低いピーク対平均電力比（ＰＡＰＲ）を有する。ＳＣ−ＦＤＭＡは、より低いＰＡＰＲが送信電力効率の点でモバイル端末の利益になるアップリンク通信において利用されることができる。
【００９９】
さらに、本明細書で説明される様々な態様又は特徴は、標準的なプログラミング及び／又はエンジニアリング技術を使用する方法、装置又は製品として実装されても良い。本明細書で使用される用語“製品（article of manufacture）”は、任意のコンピュータ読み取り可能なデバイス、キャリア又は媒体からアクセスできるコンピュータ・プログラムを包含することを意図されている。例えば、コンピュータ読み取り可能な媒体は、磁気記憶装置（例えば、ハード・ディスク、フロッピー・ディスク、磁気ストリップ、その他）、光ディスク（例えば、コンパクトディスク（ＣＤ）、デジタル・バーサタイル・ディスク（ＤＶＤ）、その他）、スマートカード、及び、フラッシュメモリ・デバイス（例えば、ＥＰＲＯＭ、カード、スティック、キー・ドライブ、その他）を含むことができる（ただし、それらに制限されない）。さらに、本明細書で説明される様々な記憶媒体は、情報を格納するための１又は複数のデバイス及び／又は他の機械読み取り可能な媒体を表すことができる。“機械読み取り可能な媒体（machine-readable medium）”という用語は、無線チャネル、及び、（１又は複数の）命令及び／又はデータを格納（storing）、含有（containing）及び／又は搬送（carrying）することができる様々な他の媒体を含むことができる（ただし、それらに制限されない）。さらに、コンピュータ・プログラム製品は、本明細書で説明される機能をコンピュータに実行させるように動作可能な１又は複数の命令又はコードを有するコンピュータ読み取り可能な媒体を含んでも良い。
【０１００】
さらに、本明細書で開示される態様に関連して説明される方法又はアルゴリズムのステップ及び／又はアクションは、直接ハードウェアにおいて、プロセッサにより実行されるソフトウェア・モジュールにおいて、又は、それらの組み合せにおいて、具体化されても良い。ソフトウェア・モジュールは、ＲＡＭメモリ、フラッシュメモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ又は技術的に知られている任意のその他のタイプの記憶媒体であっても良い。例示的な記憶媒体は、プロセッサが該記憶媒体から情報をリードすることができ、また、該記憶媒体に情報をライトすることができるように、該プロセッサに接続されても良い。代わりに、記憶媒体は、プロセッサに一体化されても良い。さらに、幾つかの態様において、プロセッサ及び記憶媒体がＡＳＩＣ中に存在しても良い。さらに、そのＡＳＩＣがユーザ端末上に存在しても良い。代わりに、プロセッサ及び記憶媒体が、ユーザ端末上に個別のコンポーネントとして存在しても良い。さらに、幾つかの態様において、方法又はアルゴリズムのステップ及び／又はアクションは、機械読み取り可能な媒体及び／又はコンピュータ読み取り可能な媒体上のコード及び／又は命令の１つ又は任意の組み合わせ又はセットとして存在しても良く、また、それは、コンピュータ・プログラム製品に組み込まれても良い。
【０１０１】
前述の開示は実例となる態様及び／又は実施形態を述べるが、添付されたクレームにより定義される説明された態様及び／又は実施形態の範囲を逸脱することなく様々な変更及び修正がここでなされることができる点に留意されるべきである。したがって、説明された態様は、添付されたクレームの範囲に入るすべてのそのような変更、修正及び変形を包含することを意図されている。さらに、説明された態様及び／又は実施形態の要素が単数で説明又はクレームされることがあるが、単数への制限が明確に記載されていない限り、複数が予期される。さらに、特に明記しない限り、任意の態様及び／又は態様の全体又は一部が、任意の他の態様及び／又は実施形態の全体又は一部とともに利用されても良い。
【０１０２】
語句“含む（includes）”が詳細な説明又はクレームのいずれかにおいて使用される範囲内において、上記語句は、語句“備える、含む（comprising）”がクレームにおいてつなぎ詞（transitional word）として用いられた場合に“備える、含む（comprising）”として解釈されるのと同様の方法で、包括的であることを意図されている。さらに、詳細な説明又はクレームにおいて使用されるように、用語“又は（or）”は、排他的な“又は（or）”よりはむしろ包含的な“又は（or）”を意味することが意図される。つまり、明記され又は文脈から明らかでない限り、“ＸはＡ又はＢを使用する（X employs A or B）”というフレーズは、自然な包含的な置き換えのいずれをも意味することが意図される。つまり、“ＸはＡ又はＢを使用する（X employs A or B）”というフレーズは、以下の例のいずれによっても満たされる：ＸはＡを使用する；ＸはＢを使用する；又は、ＸはＡ及びＢの両方を使用する。さらに、この明細書及び添付のクレームにおいて使用される冠詞 “一つの（ａ）”及び“一つの（ａｎ）”は、単数形が指示されるべきことが明記され又は文脈から明らかでない限り、通常、“１又は複数（one or more）”を意味するものと解釈されるべきである。
【０１０３】
この出願において用いられるように、用語“コンポーネント（component）”、“モジュール（module）”、“システム（system）”及び同類のものは、コンピュータ関連のエンティティー、ハードウェア、ファームウェア、ハードウェアとソフトウェアの組み合わせ、ソフトウェア又は実行中のソフトウェアのいずれかを指し示すことを意図されている。例えば、コンポーネントは、プロセッサ上で動作するプロセス、プロセッサ、オブジェクト、実行ファイル（executable）、実行のスレッド、プログラム、及び／又は、コンピュータであっても良い（ただし、これらに制限されるものではない）。例として、コンピュータデバイス上で動作するアプリケーションと、そのコンピュータデバイスの両方とも、コンポーネントであることができる。１又は複数のコンポーネントがプロセス及び／又は実行のスレッドの内部に存在しても良く、また、一つのコンポーネントが一つのコンピュータに局在し及び／又は２以上のコンピュータ間に分散されることができる。加えて、これらコンポーネントは、様々なデータ構造を記録した様々なコンピュータ読み取り可能な媒体から実行することができる。それらコンポーネントは、例えば、１又は複数のデータパケット（例えば、その信号を経由して、ローカルシステムにおいて、分散システムにおいて及び／又は例えば他のシステムをともなうインターネットのようなネットワークを横切って、他のコンポーネントとインタラクトする、一つのコンポーネントからのデータ）を持つ信号に従うような、ローカルプロセス及び／又はリモートプロセスを経由して、通信しても良い。
【０１０４】
さらにまた、モバイル・デバイスに関連して様々な態様が本明細書で説明される。モバイル・デバイスは、システム、加入者ユニット、加入者設備、モバイル局、モバイル、無線端末、ノード、デバイス、リモート・ステーション、リモート端末、アクセス端末、ユーザ端末、端末、無線通信デバイス、無線通信装置、ユーザ・エージェント、ユーザ・デバイス又はユーザ装置（ＵＥ）などとも呼ばれることができ、また、その機能性の一部又は全てを含んでも良い。モバイル・デバイスは、セルラー電話、コードレス電話、セッション開始プロトコル（ＳＩＰ）電話、スマートフォン、ワイヤレスローカルループ（ＷＬＬ）局、携帯情報端末（ＰＤＡ）、ラップトップ、ハンドヘルド通信デバイス、ハンドヘルド・コンピュータ・デバイス、衛星ラジオ、無線モデム・カード及び／又は無線システム上で通信するための他の処理デバイスであることができる。さらに、基地局に関連して様々な態様が本明細書で説明される。基地局は、（１又は複数の）無線端末と通信するために利用されても良く、また、アクセスポイント、ノード、Ｎｏｄｅ Ｂ、ｅＮｏｄｅＢ、ｅＮＢ又は何らかの他のネットワーク・エンティティーとも呼ばれることができ、また、その機能性の一部又は全てを含んでも良い。
【０１０５】
幾つかのデバイス、コンポーネント、モジュールなどを含み得るシステムに関して様々な態様又は特徴が示される。様々なシステムは、更なるデバイス、コンポーネント、モジュールなどを含んでも良く、及び／又は、図面に関連して述べられたデバイス、コンポーネント、モジュールなどのすべてを含まなくても良いことは理解及び認識されるべきである。また、これらのアプローチの組み合せが使用されても良い。
【０１０６】
さらに、主題の説明において、“例示的な（exemplary）”という語（及び、その変形）は、例（example）、インスタンス（instance）又はイラストレーション（illustration）として役に立つことを意味するために本明細書で使用される。“例示的な（exemplary）”として本明細書で説明される態様又はデザインは、必ずしも他の態様又はデザイン以上に好ましい又は有利であると解釈されるというわけではない。むしろ、例示的な（exemplary）、という語の用法は、具体的な方法で概念を提示することを目的とする。
【図１】
2014132758.tif 000003
【図２】
2014132758.tif 000004
【図３】
2014132758.tif 000005
【図４】
2014132758.tif 000006
【図５】
2014132758.tif 000007
【図６】
2014132758.tif 000008
【図７】
2014132758.tif 000009
【図８】
2014132758.tif 000010
【図９】
2014132758.tif 000011
【図１０】
2014132758.tif 000012
【図１１】
2014132758.tif 000013
【手続補正書】
【提出日】平成26年2月24日(2014.2.24)
【手続補正１】
【補正対象書類名】特許請求の範囲
【補正対象項目名】全文
【補正方法】変更
【補正の内容】
【特許請求の範囲】
【請求項１】
通信環境におけるフォールバック手続きのための方法において、
セッションのための招待であって第２のモバイル・デバイスからであり且つメディアのためのパケット交換ベアラを有するものを、第１のモバイル・デバイスへ転送することと、
前記第１のモバイル・デバイスによる前記招待に対する拒否に応じて、前記セッションを保留することと、
前記第１のモバイル・デバイスから回線交換コールを受信することと、
前記回線交換コールを前記セッションに関連付けることと、
回線交換領域ベアラ及びインターネットプロトコルマルチメディアサブシステム（ＩＭＳ）ベアラの上で前記第１のモバイル・デバイスと前記第２のモバイル・デバイスとの間の通信を確立することを含む方法。
【外国語明細書】
2014132758000001.pdf